(57)【要約】【課題】回路規模を小型化しつつ、表示パネルに画像情報を良好にカラー表示することができる表示駆動装置、該表示駆動装置を備えた表示装置及びその駆動方法を提供する。【解決手段】データドライバ１４０は、シリアルデータとして供給される表示データのＲＧＢの各色成分に対応して、時分割的に切り換え設定される最大輝度基準電圧Ｖmax(R)、Ｖmax(G)、Ｖmax(B)及び最小輝度基準電圧Ｖs(R)、Ｖs(G)、Ｖs(B)に基づいて特性（補正特性）が規定される、色成分ごとのガンマ補正曲線を用いてデジタル−アナログ変換処理を施し、各色の有機ＥＬ素子ＯＬＥＤの電気光学特性に対応してガンマ補正された階調電圧Ｖpix（Ｖpix(r)、Ｖpix(g)、Ｖpix(b)）を生成する階調電圧生成部１４２を有している。【選択図】図４
2009180765.tif 000002
【特許請求の範囲】
【請求項１】
カラー表示を行う複数の発光色の何れかの発光色の発光素子を有する所定の数の表示画素に接続され、前記所定の数の表示画素の各々の前記発光素子の発光色に対応した、前記所定の数の色成分を含むデジタル信号からなる表示データが供給され、単一のガンマ特性に基づき、前記表示データに含まれる前記所定の数の色成分の各々に対応するガンマ補正曲線を生成し、該各色成分を、生成した前記色成分ごとの前記ガンマ補正曲線を用いて変換して、ガンマ補正された階調信号を生成する信号変換回路を備えることを特徴とする表示駆動装置。
【請求項２】
前記信号変換回路は、デジタル信号を前記単一のガンマ特性と階調基準電圧とに基づいてアナログ信号に変換するデジタル−アナログ変換回路を有し、該デジタル−アナログ変換回路においてデジタル信号をアナログ信号に変換する際の前記階調基準電圧を前記表示データの前記各色成分に応じて切り換えることにより、前記色成分ごとのガンマ補正曲線を生成することを特徴とする請求項１記載の表示駆動装置。
【請求項３】
前記信号変換回路は、前記階調基準電圧における、最高階調基準電圧及び最低階調基準電圧の少なくともいずれか一方を切り換えることにより、前記色成分ごとのガンマ補正曲線を生成することを特徴とする請求項２記載の表示駆動装置。
【請求項４】
前記表示データは、前記所定の数の色成分が所定の順序で、繰り返し時系列で供給されるシリアルデータであり、前記信号変換回路は、前記各色成分に対応した前記階調信号を、該各色成分の供給順序に応じて、時系列で生成することを特徴とする請求項１乃至３のいずれかに記載の表示駆動装置。
【請求項５】
前記表示駆動装置は、前記信号変換回路により時系列で生成される前記各色成分に対応した階調信号を、前記各色成分に対応する前記各発光色の前記表示画素に対応して分配する信号分配回路を備えることを特徴とする請求項４記載の表示駆動装置。
【請求項６】
前記表示駆動装置は、前記信号分配回路により分配された前記各色成分に対応する前記階調信号を並列的に保持する信号保持回路を備えることを特徴とする請求項５記載の表示駆動装置。
【請求項７】
直交する複数のデータライン及び複数の選択ラインの各交点近傍に、カラー表示を行う複数の発光色の何れかを有する発光素子が設けられた複数の表示画素が二次元配列された表示パネルと、
前記複数のデータラインにおける所定の数の前記データラインごとに対応して設けられ、前記選択ラインの延在方向に沿って配列された前記各表示画素の前記発光素子の発光色の各々に対応した、複数の色成分を含むデジタル信号からなる表示データが供給され、単一のガンマ特性に基づき、前記表示データに含まれる前記複数の色成分における、前記所定の数のデータラインに対応する前記所定の数の前記表示画素の発光素子の発光色の各々に対応する、前記所定の数の前記色成分の各々に対応するガンマ補正曲線を生成し、該各色成分を、生成した前記色成分ごとの前記ガンマ補正曲線を用いて変換して、ガンマ補正された階調信号を生成する信号変換回路を複数有する表示駆動装置と、
を備えることを特徴とする表示装置。
【請求項８】
前記各信号変換回路は、デジタル信号を前記単一のガンマ特性と階調基準電圧とに基づいてアナログ信号に変換するデジタル−アナログ変換回路を有し、該デジタル−アナログ変換回路においてデジタル信号をアナログ信号に変換する際の前記階調基準電圧を前記表示データの前記各色成分に応じて切り換えることにより、前記色成分ごとのガンマ補正曲線を生成することを特徴とする請求項７記載の表示装置。
【請求項９】
前記各信号変換回路は、前記階調基準電圧における、最高階調基準電圧及び最低階調基準電圧の少なくともいずれか一方を切り換えることにより、前記色成分ごとのガンマ補正曲線を生成することを特徴とする請求項８記載の表示装置。
【請求項１０】
前記表示データは、前記所定の数の色成分が所定の順序で、繰り返し時系列で供給されるシリアルデータであり、前記各信号変換回路は、前記各色成分に対応した前記階調信号を、該各色成分の供給順序に応じて、時系列で生成することを特徴とする請求項７乃至９のいずれかに記載の表示装置。
【請求項１１】
前記表示駆動装置は、前記各信号変換回路に対応して設けられる、該各信号変換回路により時系列で生成される前記各色成分に対応した階調信号を、前記各色成分に対応する前記各発光色の前記表示画素に対応して分配する信号分配回路を複数備えることを特徴とする請求項１０記載の表示装置。
【請求項１２】
前記表示駆動装置は、前記各信号分配回路に対応して設けられ、該各信号分配回路により分配された前記各色成分に対応する前記階調信号を並列的に保持し、前記所定の数のデータラインの各々を介して前記所定の数の前記表示画素に同時に出力する信号保持回路を複数備えることを特徴とする請求項１１記載の表示装置。
【請求項１３】
前記表示駆動装置は、前記各信号変換回路により生成された前記階調信号を、前記各表示画素の特性変化に応じて補正する特性変化補償回路を備えることを特徴とする請求項７乃至１２のいずれかに記載の表示装置。
【請求項１４】
前記発光素子は、有機エレクトロルミネッセンス素子であることを特徴とする請求項７乃至１３のいずれかに記載の表示装置。
【請求項１５】
カラー表示を行う複数の発光色の何れかの発光色の発光素子を有する所定の数の表示画素を駆動する表示駆動装置の駆動方法において、
前記所定の数の表示画素の各々の前記発光素子の発光色に対応した、前記所定の数の色成分を含むデジタル信号からなる表示データが供給され、単一のガンマ特性に基づき、前記表示データに含まれる所定の数の色成分の各々に対応するガンマ補正曲線を生成するステップと、
前記表示データの前記各色成分を、生成した前記色成分ごとの前記ガンマ補正曲線を用いて変換して、ガンマ補正された階調信号を生成するステップと、
生成された前記各色成分に対応する前記階調信号を前記所定の数の表示画素の各々に供給するステップと、
を含むことを特徴とする表示駆動装置の駆動方法。
【請求項１６】
前記ガンマ補正された階調信号の生成は、前記表示データの前記各色成分を前記単一のガンマ特性と階調基準電圧とに基づいてアナログ信号に変換するデジタル−アナログ変換回路を用いて行われ、前記色成分の各々に対応するガンマ補正曲線を生成するステップは、前記デジタル−アナログ変換回路によって前記各色成分を前記階調信号に変換する際の前記階調基準電圧のうち、最高階調基準電圧及び最低階調基準電圧の少なくともいずれか一方を、前記表示データの前記各色成分に応じて切り換えることにより、前記色成分ごとのガンマ補正曲線の特性を生成することを特徴とする請求項１５記載の表示駆動装置の駆動方法。
【請求項１７】
前記表示データは、前記所定の数の色成分が所定の順序で、繰り返し時系列で供給され、
前記ガンマ補正曲線を生成するステップは、前記表示データによる前記各色成分の供給タイミングに同期して、前記各色成分に対応する前記ガンマ補正曲線を生成するステップを含み、
前記階調信号を生成するステップは、前記表示データによる前記各色成分の供給タイミングに応じて、前記各色成分に対応した前記階調信号を時系列で順次生成するステップを含むことを特徴とする請求項１５記載の表示駆動装置の駆動方法。
【請求項１８】
カラー表示を行う表示パネルを駆動する表示装置の駆動方法において、
前記表示パネルは、直交する複数のデータライン及び複数の選択ラインの各交点近傍に、カラー表示を行う複数の発光色の何れかを有する発光素子が設けられた複数の表示画素が二次元配列され、
前記選択ラインの延在方向に沿って配列された前記各表示画素の前記発光素子の発光色の各々に対応した、複数の色成分を含むデジタル信号からなる表示データが供給され、単一のガンマ特性に基づき、前記表示データに含まれる前記複数の色成分における、所定の数の前記データラインに対応する所定の数の前記表示画素の各々の発光素子の発光色に対応する、前記色成分の各々に対応するガンマ補正曲線を生成するステップと、
前記表示データの前記各色成分を、生成した前記色成分ごとの前記ガンマ補正曲線を用いて変換して、ガンマ補正された階調信号を生成するステップと、
生成された前記各色成分に対応する前記階調信号を、前記所定の数のデータラインを介して、対応する前記所定の数の表示画素の各々に供給するステップと、
を含むことを特徴とする表示駆動装置の駆動方法。
【請求項１９】
前記ガンマ補正された階調信号の生成は、前記表示データの前記各色成分を前記単一のガンマ特性と階調基準電圧とに基づいてアナログ信号に変換するデジタル−アナログ変換回路を用いて行われ、前記色成分の各々に対応するガンマ補正曲線を生成するステップは、前記デジタル−アナログ変換回路によって前記各色成分を前記階調信号に変換する際の前記階調基準電圧のうち、最高階調基準電圧及び最低階調基準電圧の少なくともいずれか一方を、前記表示データの前記各色成分に応じて切り換えることにより、前記色成分ごとの前記ガンマ補正曲線を生成することを特徴とする請求項１８記載の表示装置の駆動方法。
【請求項２０】
前記表示データは、前記所定の数の色成分が所定の順序で、繰り返し時系列で供給され、
前記ガンマ補正曲線を生成するステップは、前記表示データによる前記各色成分の供給タイミングに同期して、前記各色成分に対応する前記ガンマ補正曲線を生成するステップを含み、
前記階調信号を生成するステップは、前記表示データによる前記各色成分の供給タイミングに応じて、前記各色成分に対応した前記階調信号を時系列で順次生成するステップを含むことを特徴とする請求項１８記載の表示駆動装置の駆動方法。
【発明の詳細な説明】
【技術分野】
【０００１】
本発明は、表示駆動装置、表示装置及びその駆動方法に関し、特に、自発光素子を有する複数の表示画素を配列してなる表示パネル（表示画素アレイ）を駆動するための表示駆動装置、該表示駆動装置を備えた表示装置及びその駆動方法に関する。
【背景技術】
【０００２】
近年、携帯電話や携帯音楽プレーヤ等の電子機器の表示デバイスとして、有機エレクトロルミネッセンス素子（以下、「有機ＥＬ素子」と略記する）のような自発光素子を有する複数の表示画素を、２次元配列した表示パネル（有機ＥＬ表示パネル）を適用したものが知られている。特に、アクティブマトリクス駆動方式を適用した有機ＥＬ表示パネルにおいては、広く普及している液晶表示装置に比較して、表示応答速度が速く、視野角依存性も小さいという優れた表示特性を有しているとともに、液晶表示装置のようにバックライトや導光板を必要としないという装置構成上の特徴を有している。
【０００３】
例えば特許文献１等に記載された有機ＥＬディスプレイ装置は、電圧信号によって電流制御されたアクティブマトリクス駆動表示装置であって、画像データに応じた電圧信号がゲートに印加されて有機ＥＬ素子に電流を流す電流制御用薄膜トランジスタと、この電流制御用薄膜トランジスタのゲートに画像データに応じた電圧信号を供給するためのスイッチングを行うスイッチ用薄膜トランジスタとが、画素ごとに設けられている。
【０００４】
ところで、上述したような有機ＥＬ表示パネルにおいて、画像情報のカラー表示を行う場合、例えば赤（Ｒ）、緑（Ｇ）、青（Ｂ）の色ごとに有機ＥＬ素子の電気光学特性（具体的には輝度特性）が異なるため、各色の有機ＥＬ素子（各色画素）ごとに個別のガンマ補正曲線（γカーブ）を用いて、輝度階調を調整して色バランスを揃えるガンマ補正処理を実行する必要がある。
【０００５】
例えば特許文献２等には、ＲＧＢの各発光材料からなる有機ＥＬ素子に対して、各々の輝度特性に合わせたＲＧＢ別ガンマ補正回路を個別に設け、供給されるＲＧＢの各映像信号に対して個別にガンマ補正処理を実行する構成が記載されている。なお、モノカラー有機ＥＬ素子アレイや白色素子にカラーフィルタを介してフルカラー化するような表示パネルにおいては、有機ＥＬ素子の電気光学特性が均一であるため、単一のγカーブ（すなわち、単一のガンマ補正回路）を用いてガンマ補正処理を実行すればよい。
【０００６】
【特許文献１】特開平８−３３０６００号公報（第３頁、図４）
【特許文献２】特開２００３−２５５９００号公報（第３頁、図１）
【発明の開示】
【発明が解決しようとする課題】
【０００７】
しかしながら、上述したように各色の有機ＥＬ素子に対応させて独立したγカーブを用いてガンマ補正処理を実行する構成においては、例えばＲＧＢの３色の場合、３つの個別のガンマ補正回路を必要とすることになり、表示装置の回路規模が大きくなるという問題を有している。このような問題を解決するためには、例えばＲＧＢの各色の有機ＥＬ素子の電気光学特性を揃えることにより、単一のγカーブ（単一のガンマ補正回路）を用いてガンマ補正処理を実行する手法が考えられるが、この場合には、表示品位を向上させるために表示階調数（ビット）の増加や高精細化を図るほど、製造プロセスの複雑化を招き、そのためプロセスマージンや材料選択範囲が狭くなるという問題を有していた。
【０００８】
そこで、本発明は、上述した問題点に鑑み、回路規模を小型化しつつ、表示パネルに画像情報を良好にカラー表示することができる表示駆動装置、該表示駆動装置を備えた表示装置及びその駆動方法を提供することを目的とする。
【課題を解決するための手段】
【０００９】
請求項１記載の発明に係る表示駆動装置は、カラー表示を行う複数の発光色の何れかの発光色の発光素子を有する所定の数の表示画素に接続され、前記所定の数の表示画素の各々の前記発光素子の発光色に対応した、前記所定の数の色成分を含むデジタル信号からなる表示データが供給され、単一のガンマ特性に基づき、前記表示データに含まれる前記所定の数の色成分の各々に対応するガンマ補正曲線を生成し、該各色成分を、生成した前記色成分ごとの前記ガンマ補正曲線を用いて変換して、ガンマ補正された階調信号を生成する信号変換回路を備えることを特徴とする。
【００１０】
請求項２記載の発明は、請求項１記載の表示駆動装置において、前記信号変換回路は、デジタル信号を前記単一のガンマ特性と階調基準電圧とに基づいてアナログ信号に変換するデジタル−アナログ変換回路を有し、該デジタル−アナログ変換回路においてデジタル信号をアナログ信号に変換する際の前記階調基準電圧を前記表示データの前記各色成分に応じて切り換えることにより、前記色成分ごとのガンマ補正曲線を生成することを特徴とする。
請求項３記載の発明は、請求項２記載の表示駆動装置において、前記信号変換回路は、前記階調基準電圧における、最高階調基準電圧及び最低階調基準電圧の少なくともいずれか一方を切り換えることにより、前記色成分ごとのガンマ補正曲線を生成することを特徴とする。
請求項４記載の発明は、請求項１乃至３のいずれかに記載の表示駆動装置において、前記表示データは、前記所定の数の色成分が所定の順序で、繰り返し時系列で供給されるシリアルデータであり、前記信号変換回路は、前記各色成分に対応した前記階調信号を、該各色成分の供給順序に応じて、時系列で生成することを特徴とする。
請求項５記載の発明は、請求項４記載の表示駆動装置において、前記表示駆動装置は、前記信号変換回路により時系列で生成される前記各色成分に対応した階調信号を、前記各色成分に対応する前記各発光色の前記表示画素に対応して分配する信号分配回路を備えることを特徴とする。
請求項６記載の発明は、請求項５記載の表示駆動装置において、前記表示駆動装置は、前記信号分配回路により分配された前記各色成分に対応する前記階調信号を並列的に保持する信号保持回路を備えることを特徴とする。
【００１１】
請求項７記載の発明に係る表示装置は、直交する複数のデータライン及び複数の選択ラインの各交点近傍に、カラー表示を行う複数の発光色の何れかを有する発光素子が設けられた複数の表示画素が二次元配列された表示パネルと、前記複数のデータラインにおける所定の数の前記データラインごとに対応して設けられ、前記選択ラインの延在方向に沿って配列された前記各表示画素の前記発光素子の発光色の各々に対応した、複数の色成分を含むデジタル信号からなる表示データが供給され、単一のガンマ特性に基づき、前記表示データに含まれる前記複数の色成分における、前記所定の数のデータラインに対応する前記所定の数の前記表示画素の発光素子の発光色の各々に対応する、前記所定の数の前記色成分の各々に対応するガンマ補正曲線を生成し、該各色成分を、生成した前記色成分ごとの前記ガンマ補正曲線を用いて変換して、ガンマ補正された階調信号を生成する信号変換回路を複数有する表示駆動装置と、を備えることを特徴とする。
【００１２】
請求項８記載の発明は、請求項７記載の表示装置において、前記各信号変換回路は、デジタル信号を前記単一のガンマ特性と階調基準電圧とに基づいてアナログ信号に変換するデジタル−アナログ変換回路を有し、該デジタル−アナログ変換回路においてデジタル信号をアナログ信号に変換する際の前記階調基準電圧を前記表示データの前記各色成分に応じて切り換えることにより、前記色成分ごとのガンマ補正曲線を生成することを特徴とする。
請求項９記載の発明は、請求項８記載の表示装置において、前記各信号変換回路は、前記階調基準電圧における、最高階調基準電圧及び最低階調基準電圧の少なくともいずれか一方を切り換えることにより、前記色成分ごとのガンマ補正曲線を生成することを特徴とする。
請求項１０記載の発明は、請求項７乃至９のいずれかに記載の表示装置において、前記表示データは、前記所定の数の色成分が所定の順序で、繰り返し時系列で供給されるシリアルデータであり、前記各信号変換回路は、前記各色成分に対応した前記階調信号を、該各色成分の供給順序に応じて、時系列で生成することを特徴とする。
請求項１１記載の発明は、請求項１０記載の表示装置において、前記表示駆動装置は、前記各信号変換回路に対応して設けられる、該各信号変換回路により時系列で生成される前記各色成分に対応した階調信号を、前記各色成分に対応する前記各発光色の前記表示画素に対応して分配する信号分配回路を複数備えることを特徴とする。
請求項１２記載の発明は、請求項１１記載の表示装置において、前記表示駆動装置は、前記各信号分配回路に対応して設けられ、該各信号分配回路により分配された前記各色成分に対応する前記階調信号を並列的に保持し、前記所定の数のデータラインの各々を介して前記所定の数の前記表示画素に同時に出力する信号保持回路を複数備える。
請求項１３記載の発明は、請求項７乃至１２のいずれかに記載の表示装置において、前記表示駆動装置は、前記各信号変換回路により生成された前記階調信号を、前記各表示画素の特性変化に応じて補正する特性変化補償回路を備えることを特徴とする。
請求項１４記載の発明は、請求項７乃至１３のいずれかに記載の表示装置において、前記発光素子は、有機エレクトロルミネッセンス素子であることを特徴とする。
【００１３】
請求項１５記載の発明は、カラー表示を行う複数の発光色の何れかの発光色の発光素子を有する所定の数の表示画素を駆動する表示駆動装置の駆動方法において、前記所定の数の表示画素の各々の前記発光素子の発光色に対応した、前記所定の数の色成分を含むデジタル信号からなる表示データが供給され、単一のガンマ特性に基づき、前記表示データに含まれる所定の数の色成分の各々に対応するガンマ補正曲線を生成するステップと、前記表示データの前記各色成分を、生成した前記色成分ごとの前記ガンマ補正曲線を用いて変換して、ガンマ補正された階調信号を生成するステップと、生成された前記各色成分に対応する前記階調信号を前記所定の数の表示画素の各々に供給するステップと、を含むことを特徴とする。
請求項１６記載の発明は、請求項１５記載の表示駆動装置の駆動方法において、前記ガンマ補正された階調信号の生成は、前記表示データの前記各色成分を前記単一のガンマ特性と階調基準電圧とに基づいてアナログ信号に変換するデジタル−アナログ変換回路を用いて行われ、前記色成分の各々に対応するガンマ補正曲線を生成するステップは、前記デジタル−アナログ変換回路によって前記各色成分を前記階調信号に変換する際の前記階調基準電圧のうち、最高階調基準電圧及び最低階調基準電圧の少なくともいずれか一方を、前記表示データの前記各色成分に応じて切り換えることにより、前記色成分ごとのガンマ補正曲線の特性を生成することを特徴とする。
請求項１７記載の発明は、請求項１５記載の表示駆動装置の駆動方法において、前記表示データは、前記所定の数の色成分が所定の順序で、繰り返し時系列で供給され、前記ガンマ補正曲線を生成するステップは、前記表示データによる前記各色成分の供給タイミングに同期して、前記各色成分に対応する前記ガンマ補正曲線を生成するステップを含み、前記階調信号を生成するステップは、前記表示データによる前記各色成分の供給タイミングに応じて、前記各色成分に対応した前記階調信号を時系列で順次生成するステップを含むことを特徴とする。
【００１４】
請求項１８記載の発明は、カラー表示を行う表示パネルを駆動する表示装置の駆動方法において、前記表示パネルは、直交する複数のデータライン及び複数の選択ラインの各交点近傍に、カラー表示を行う複数の発光色の何れかを有する発光素子が設けられた複数の表示画素が二次元配列され、前記選択ラインの延在方向に沿って配列された前記各表示画素の前記発光素子の発光色の各々に対応した、複数の色成分を含むデジタル信号からなる表示データが供給され、単一のガンマ特性に基づき、前記表示データに含まれる前記複数の色成分における、所定の数の前記データラインに対応する所定の数の前記表示画素の各々の発光素子の発光色に対応する、前記色成分の各々に対応するガンマ補正曲線を生成するステップと、前記表示データの前記各色成分を、生成した前記色成分ごとの前記ガンマ補正曲線を用いて変換して、ガンマ補正された階調信号を生成するステップと、生成された前記各色成分に対応する前記階調信号を、前記所定の数のデータラインを介して、対応する前記所定の数の表示画素の各々に供給するステップと、を含むことを特徴とする。
請求項１９記載の発明は、請求項１８記載の表示装置の駆動方法において、前記ガンマ補正された階調信号の生成は、前記表示データの前記各色成分を前記単一のガンマ特性と階調基準電圧とに基づいてアナログ信号に変換するデジタル−アナログ変換回路を用いて行われ、前記色成分の各々に対応するガンマ補正曲線を生成するステップは、前記デジタル−アナログ変換回路によって前記各色成分を前記階調信号に変換する際の前記階調基準電圧のうち、最高階調基準電圧及び最低階調基準電圧の少なくともいずれか一方を、前記表示データの前記各色成分に応じて切り換えることにより、前記色成分ごとの前記ガンマ補正曲線を生成することを特徴とする。
請求項２０記載の発明は、請求項１８記載の表示駆動装置の駆動方法において、前記表示データは、前記所定の数の色成分が所定の順序で、繰り返し時系列で供給され、前記ガンマ補正曲線を生成するステップは、前記表示データによる前記各色成分の供給タイミングに同期して、前記各色成分に対応する前記ガンマ補正曲線を生成するステップを含み、前記階調信号を生成するステップは、前記表示データによる前記各色成分の供給タイミングに応じて、前記各色成分に対応した前記階調信号を時系列で順次生成するステップを含むことを特徴とする。
【発明の効果】
【００１５】
本発明に係る表示駆動装置、表示装置及びその駆動方法によれば、回路規模を小型化しつつ、表示パネルに画像情報を良好にカラー表示することができる。
【発明を実施するための最良の形態】
【００１６】
以下、本発明に係る表示駆動装置、表示装置及びその駆動方法について、実施の形態を示して詳しく説明する。
＜第１の実施形態＞
＜表示装置＞
まず、本発明に係る表示装置の概略構成について、図面を参照して説明する。
図１は、本発明に係る表示装置の全体構成の一例を示す概略ブロック図であり、図２は、第１の実施形態に係る表示装置に適用可能な表示パネル及びデータドライバの一例を示す概略構成図である。
【００１７】
図１に示すように、本実施形態に係る表示装置１００は、例えば、行方向（図面左右方向）に配設された複数の選択ラインＬｓと列方向（図面上下方向）に配設された複数のデータラインＬｄとの各交点近傍に、後述する画素駆動回路ＤＣ及び発光素子（有機ＥＬ素子ＯＬＥＤ）を備えた複数の表示画素ＰＩＸがｎ行×ｍ列（ｎ、ｍは、任意の正の整数であって、ｎは偶数、かつ、ｍは３の倍数）からなるマトリクス状に配列された表示領域１１０と、各行の選択ラインＬｓに所定のタイミングで選択信号Ｓselを順次印加することにより、行ごとの表示画素ＰＩＸを選択状態に設定する選択ドライバ１２０と、各行の選択ラインＬｓに平行して行方向に配設された複数の電源電圧ラインＬｖに所定のタイミングで所定の電圧レベルの電源電圧Ｖccを印加する電源ドライバ１３０と、表示データに応じた階調信号（階調電圧Ｖpix）を、所定のタイミングで各データラインＬｄを介して表示画素ＰＩＸへ供給するデータドライバ（表示駆動装置）１４０と、後述する表示信号生成回路１６０から供給されるタイミング信号に基づいて、少なくとも選択ドライバ１２０、電源ドライバ１３０及びデータドライバ１４０の動作状態を制御して、表示領域１１０において所定の画像情報を表示するための選択制御信号、電源制御信号及びデータ制御信号を生成して出力するシステムコントローラ１５０と、例えば表示装置１００の外部から供給される映像信号に基づいて、デジタル信号からなる表示データ（輝度階調データ）を生成してデータドライバ１４０に供給するとともに、該表示データに基づいて表示領域１１０に画像情報を表示するためのタイミング信号（システムクロック等）を抽出、又は、生成して上記システムコントローラ１５０に供給する表示信号生成回路１６０と、表示領域１１０、選択ドライバ１２０、データドライバ１４０が設けられている基板からなる表示パネル１７０と、を備えている。
【００１８】
なお、図１においては、電源ドライバ１３０が表示パネル１７０の外部にあって、例えばフィルム基板を介して接続された構造について示したが、表示パネル１７０上に配置されている構造であってもよい。また、データドライバ１４０は一部が、表示パネル１７０に設けられ、残りの一部が表示パネル１７０の外部にあって、フィルム基板を介して接続されている構造であってもよい。このとき、表示パネル１７０内のデータドライバ１４０の一部は、ＩＣチップであってもよいし、後述する画素駆動回路ＤＣの各トランジスタと一括して製造されるトランジスタによって構成されていてもよい。また、選択ドライバ１２０は、ＩＣチップであってもよいし、後述する画素駆動回路ＤＣの各トランジスタと一括して製造されるトランジスタによって構成されていてもよい。
【００１９】
以下、上記各構成について説明する。
（表示パネル）
本実施形態に係る表示装置１００においては、例えば表示パネル１７０の略中央に、複数の表示画素ＰＩＸがマトリクス状に配列された表示領域１１０が設けられている。ここで、複数の表示画素ＰＩＸは、例えば図１に示すように、表示領域１１０の上方領域（図中、上方側に位置）と下方領域（図中、下方側に位置）とにグループ分けされ、各グループに含まれる表示画素ＰＩＸが、各々、行ごとに分岐した電源電圧ラインＬｖに接続されている。そして、上方領域のグループの各電源電圧ラインＬｖは、第１の電源電圧ラインＬｖ１に接続されており、下方領域のグループの各電源電圧ラインＬｖは、第２の電源電圧ラインＬｖ２に接続され、第１及び第２の電源電圧ラインＬｖ１、Ｌｖ２は、互いに電気的に独立して電源ドライバ１３０に接続されている。すなわち、表示領域１１０の上方領域の１〜ｎ／２行目（ここではｎは偶数）の表示画素ＰＩＸに対して各行の電源電圧ラインＬｖに接続された第１の電源電圧ラインＬｖ１を介して、また、下方領域の１＋ｎ／２〜ｎ行目の表示画素ＰＩＸに対して各行の電源電圧ラインＬｖに接続された第２の電源電圧ラインＬｖ２を介して、電源ドライバ１３０から異なるタイミングで電源電圧Ｖccが印加される。
【００２０】
また、図１に示した表示パネル１７０に配列された表示画素ＰＩＸは、例えば図２に示すように、列方向（図面上下方向）に配設された個別のデータラインＬdr、Ｌdg、Ｌdbの各々に接続された赤（Ｒ）、緑（Ｇ）、青（Ｂ）の各色のサブ画素（色画素）ＰＸｒ、ＰＸｇ、ＰＸｂからなり、表示領域１１０にはこれらのサブ画素ＰＸｒ、ＰＸｇ、ＰＸｂが行方向（図面左右方向）に例えばＲＧＢＲＧＢ・・・の順で繰り返し配列され、かつ、列方向には同一色のサブ画素ＰＸｒ、ＰＸｇ、ＰＸｂが連続して配列されている。そして、行方向に隣接して配列されたＲＧＢの３色のサブ画素ＰＸｒ、ＰＸｇ、ＰＸｂを一組として一のカラー画素ＣＰＸが形成されて（すなわち、ｍは３の倍数）、これによりカラー表示に対応した表示パネル１７０が形成されている。
【００２１】
（表示画素）
図３は、本実施形態に係る表示装置に適用可能な表示画素（画素駆動回路及び発光素子）の一例を示す回路構成図である。
本実施形態に適用される表示画素ＰＩＸ（図２に示したサブ画素ＰＸｒ、ＰＸｇ、ＰＸｂ）は、例えば図３に示すように、選択ドライバ１２０から選択ラインＬｓを介して印加される選択信号Ｓselに基づいて表示画素ＰＩＸを選択状態に設定し、当該選択状態においてデータドライバ１４０からデータラインＬｄ（図２に示したデータラインＬdr、Ｌdg、Ｌdb）を介して供給される階調信号（階調電圧Ｖpix）を取り込み、該階調信号に応じた発光駆動電流を生成する画素駆動回路ＤＣと、該画素駆動回路ＤＣから供給される発光駆動電流に基づいて、所定の輝度階調で発光動作する有機ＥＬ素子（電流制御型の発光素子）ＯＬＥＤと、を備えている。
【００２２】
画素駆動回路ＤＣは、具体的には、例えば、ゲート端子が選択ラインＬｓに、ドレイン端子が電源電圧ラインＬｖに、ソース端子が接点Ｎ１１に各々接続されたトランジスタＴｒ１１と、ゲート端子が選択ラインＬｓに、ソース端子がデータラインＬｄ（Ｌdr、Ｌdg、Ｌdb）に、ドレイン端子が接点Ｎ１２に各々接続されたトランジスタＴｒ１２と、ゲート端子が接点Ｎ１１に、ドレイン端子が電源電圧ラインＬｖに、ソース端子が接点Ｎ１２に各々接続されたトランジスタＴｒ１３（駆動トランジスタ）と、接点Ｎ１１及び接点Ｎ１２間（トランジスタＴｒ１３のゲート−ソース端子間）に接続されたキャパシタＣｓと、を備えている。ここで、キャパシタＣｓは、トランジスタＴｒ１３のゲート−ソース間に形成される寄生容量であってもよいし、該寄生容量に加えて接点Ｎ１１及び接点Ｎ１２間にトランジスタＴｒ１３以外の容量素子を接続したものであってもよく、また、これら両方であってもよい。
【００２３】
また、有機ＥＬ素子ＯＬＥＤは、アノード端子が上記画素駆動回路ＤＣの接点Ｎ１２に接続され、カソード端子ＴＭｃには所定の低電位の基準電圧Ｖss（例えば接地電位Ｖgnd）が印加されている。ここで、後述する表示装置の駆動制御において、階調信号（階調電圧Ｖpix）が画素駆動回路ＤＣに供給される書込動作期間、及び、当該階調信号に応じた電圧成分を保持する保持動作期間においては、電源電圧ラインＬｖに低電位の電源電圧Ｖcc（＝Ｖccw）が印加されて、上記有機ＥＬ素子ＯＬＥＤは点灯しないように制御される。
【００２４】
特に、本実施形態に適用される表示画素ＰＩＸにおいては、画素駆動回路ＤＣに接続される有機ＥＬ素子ＯＬＥＤの色に関わらず、上記トランジスタＴｒ１１〜Ｔｒ１３やキャパシタＣｓ等の配置やサイズが全て略同一となるように画素設計されている。これにより、ＲＧＢ各色の表示画素ＰＩＸ（サブ画素ＰＸｒ、ＰＸｇ、ＰＸｂ）で、有機ＥＬ素子ＯＬＥＤの電気光学特性に応じて、発光効率や輝度特性が異なるように設定される。
【００２５】
なお、トランジスタＴｒ１１〜Ｔｒ１３については、特に限定するものではないが、例えば全てｎチャネル型の電界効果型トランジスタにより構成することにより、ｎチャネル型のアモルファスシリコン薄膜トランジスタを適用することができる。この場合、すでに確立されたアモルファスシリコン製造技術を用いて、素子特性（電子移動度等）の安定したアモルファスシリコン薄膜トランジスタからなる画素駆動回路ＤＣを比較的簡易な製造プロセスで製造することができる。以下の説明においては、トランジスタＴｒ１１〜Ｔｒ１３として全てｎチャネル型の薄膜トランジスタを適用した場合について説明する。
【００２６】
また、表示画素ＰＩＸ（画素駆動回路ＤＣ）の回路構成については、図３に示したものに限定されるものではなく、少なくとも駆動トランジスタ（トランジスタＴｒ１３）の電流路が電流駆動型の発光素子（有機ＥＬ素子ＯＬＥＤ）に直列に接続され、かつ、ソースフォロワ型の回路構成を有するものであれば、他の回路構成を有するものであってもよい。また、画素駆動回路ＤＣにより発光駆動される発光素子についても、有機ＥＬ素子ＯＬＥＤに限定されるものではなく、発光ダイオード等の他の電流駆動型の発光素子であってもよい。
【００２７】
（選択ドライバ）
選択ドライバ１２０は、システムコントローラ１５０から供給される選択制御信号に基づいて、各選択ラインＬｓに選択レベル（図３に示した表示画素ＰＩＸにおいては、ハイレベル）の選択信号Ｓselを印加することにより、各行ごとの表示画素ＰＩＸを選択状態及び非選択状態のいずれかに設定する。具体的には、各行の表示画素ＰＩＸについて、少なくとも後述する書込動作期間を含む期間中、選択レベル（例えばハイレベル）の選択信号Ｓselを当該行の選択ラインＬｓに印加する動作を、各行ごとに所定のタイミングで順次実行することにより、各行の表示画素ＰＩＸを順次選択状態に設定する（選択期間）。
【００２８】
なお、選択ドライバ１２０は、図示を省略するが、例えば後述するシステムコントローラ１５０から供給される選択制御信号に基づいて、各行の選択ラインＬｓに対応するシフト信号を順次出力するシフトレジスタと、該シフト信号を所定の信号レベル（選択レベル）に変換して、各行の選択ラインＬｓに選択信号Ｓselとして順次出力する出力回路部（出力バッファ）と、を備えたものを適用することができる。ここで、選択ドライバ１２０の駆動周波数がアモルファスシリコントランジスタでの動作が可能な範囲であれば、選択ドライバ１２０に含まれるトランジスタの一部又は全部を画素駆動回路ＤＣ内のトランジスタＴｒ１１〜Ｔｒ１３とともに一括してアモルファスシリコントランジスタとして製造してもよい。
【００２９】
（電源ドライバ）
電源ドライバ１３０は、システムコントローラ１５０から供給される電源制御信号に基づいて、少なくとも、後述する書込期間を含む選択期間においては、各電源電圧ラインＬｖに低電位の電源電圧Ｖcc（＝Ｖccw）を印加し、発光動作期間においては、低電位の電源電圧Ｖccwより高電位の電源電圧Ｖcc（＝Ｖcce）を印加する。
【００３０】
ここで、本実施形態においては、図１に示すように、表示画素ＰＩＸが例えば表示領域１１０の上方領域と下方領域とにグループ分けされ、グループごとに分岐した個別の電源電圧ラインＬｖが配設されているので、電源ドライバ１３０は、上方領域のグループの動作期間においては、第１の電源電圧ラインＬｖ１を介して、上方領域に配列された表示画素ＰＩＸに対して電源電圧Ｖccを出力し、下方領域のグループの動作期間においては、第２の電源電圧ラインＬｖ２を介して、下方領域に配列された表示画素ＰＩＸに対して電源電圧Ｖccを出力する。
【００３１】
なお、電源ドライバ１３０は、図示を省略するが、例えばシステムコントローラ１５０から供給される電源制御信号に基づいて、各領域（グループ）の電源電圧ラインＬｖに対応するタイミング信号を生成するタイミングジェネレータ（例えばシフト信号を順次出力するシフトレジスタ等）と、タイミング信号を所定の電圧レベル（電圧値Ｖccw、Ｖcce）に変換して、各領域の電源電圧ラインＬｖ（Ｌｖ１、Ｌｖ２）に電源電圧Ｖccとして出力する出力回路部と、を備えたものを適用することができる。ここで、図１に示したように、第１の電源電圧ラインＬｖ１及び第２の電源電圧ラインＬｖ２のように本数が少なければ、電源ドライバ１３０を表示パネル１７０の外部に独立して配置せずに、システムコントローラ１５０の一部に配置してもよい。
【００３２】
（データドライバ）
図４は、本実施形態に係るデータドライバの要部構成図である。図４においては、本実施形態に係るデータドライバに適用可能な階調電圧生成部について具体的な構成を示す。また、図５は、本実施形態に係るデータドライバに適用可能な電圧生成回路及び切換スイッチの一例を示す回路構成図である。
【００３３】
データドライバ１４０は、後述する表示信号生成回路１６０からデジタルシリアルデータとして順次供給される、例えば赤（Ｒ）、緑（Ｇ）、青（Ｂ）の各色成分からなるカラー表示データ（輝度階調値）に対して、所定の特性を有するガンマ補正曲線（γカーブ）を用いてデジタル−アナログ変換処理を施して、各色成分ごとにガンマ補正された階調電圧Ｖpix（Ｖpix(r)、Ｖpix(g)、Ｖpix(b)）を生成し、データラインＬｄ（Ｌdr、Ｌdg、Ｌdb）を介して各色の表示画素ＰＩＸ（サブ画素ＰＸｒ、ＰＸｇ、ＰＸｂ）に供給する。
【００３４】
データドライバ１４０は、例えば図２、図４に示すように、シフトレジスタ・データレジスタ部１４１と、階調電圧生成部（信号変換回路）１４２と、デマルチプレクサ（信号分配回路）１４３と、ラッチ回路（信号保持回路）１４４と、を備え、階調電圧生成部１４２、デマルチプレクサ１４３及びラッチ回路１４４は、カラー画素ＣＰＸを形成する一組のＲＧＢ３色の表示画素ＰＩＸ（サブ画素ＰＸｒ、ＰＸｇ、ＰＸｂ）が各々接続された隣接する３列のデータラインＬdr、Ｌdg、Ｌdbごとに一組設けられ、本実施形態に係る表示装置１００においては、ｍ／３組設けられている。
【００３５】
シフトレジスタ・データレジスタ部１４１は、図示を省略するが、例えばシステムコントローラ１５０から供給されるデータ制御信号に基づいて、シフト信号を順次出力するシフトレジスタと、該シフト信号に基づいて、表示信号生成回路１６０からデジタルシリアルデータとしてＲＧＢＲＧＢ・・・の順で供給される、表示領域１１０の１行分の表示画素ＰＩＸに対応したカラー表示データを順次取り込み、カラー画素ＣＰＸを形成する隣接する一組のＲＧＢ３色のサブ画素ＰＸｒ、ＰＸｇ、ＰＸｂが接続された３列ごとに設けられた階調電圧生成部１４２に、ＲＧＢ３色のカラー表示データを順次転送するデータレジスタと、を備えている。
【００３６】
階調電圧生成部１４２は、上記シフトレジスタ・データレジスタ部１４１を介して順次取り込まれたＲＧＢ各色の表示画素ＰＩＸ（サブ画素ＰＸｒ、ＰＸｇ、ＰＸｂ）のカラー表示データに基づいた輝度階調で有機ＥＬ素子ＯＬＥＤを発光動作、又は、無発光動作（黒表示動作）させるための輝度階調に応じた電圧値を有する階調電圧Ｖpix（Ｖpix(r)、Ｖpix(g)、Ｖpix(b)）を生成して出力する。
【００３７】
ここで、階調電圧生成部１４２により生成されるＲＧＢ各色ごとの階調電圧Ｖpix（Ｖpix(r)、Ｖpix(g)、Ｖpix(b)）は、有機ＥＬ素子の電気光学特性（輝度特性）が色ごとに異なるため、各色の有機ＥＬ素子ＯＬＥＤに対応した特性（補正特性）を有するガンマ補正曲線を用いて輝度階調を調整して色バランスを揃える必要がある。本実施形態においては、単一のガンマ特性（γカーブ）を備えたデジタル−アナログ変換回路において、ＲＧＢの各色ごとに時分割的に切り換え設定される最大輝度基準電圧Ｖmax(R)、Ｖmax(G)、Ｖmax(B)及び最小輝度基準電圧Ｖs(R)、Ｖs(G)、Ｖs(B)に基づいて生成される、ＲＧＢの各色ごとのガンマ補正曲線を用いて、上記各色の有機ＥＬ素子ＯＬＥＤの電気光学特性に対応させてカラー表示データをガンマ補正する。これにより、実質的にＲＧＢの各色の有機ＥＬ素子ＯＬＥＤに対応させて個別のガンマ補正曲線を用いてガンマ補正処理を実行した場合と同等の効果が得られる。
【００３８】
階調電圧生成部１４２は、具体的には、例えば図４に示すように、カラー表示データに含まれる輝度階調値の階調数（例えば２５６階調）に応じた階調基準電圧（上述した最大輝度基準電圧Ｖmax(R)、Ｖmax(G)、Ｖmax(B)及び最小輝度基準電圧Ｖs(R)、Ｖs(G)、Ｖs(B)に基づいて生成される電圧群）に基づいて、上記シフトレジスタ・データレジスタ部１４１を介して順次取り込まれたＲＧＢ各色のカラー表示データ（デジタルデータ）の信号電圧を、アナログ信号電圧に変換するデジタル−アナログ変換処理を行うとともに、ＲＧＢ各色の表示画素ＰＩＸに設けられた有機ＥＬ素子ＯＬＥＤの電気光学特性に応じたガンマ補正処理を行うγカーブ生成ラダー回路（デジタル−アナログ変換回路）１４２−１と、該γカーブ生成ラダー回路１４２−１にＲＧＢ各色の有機ＥＬ素子ＯＬＥＤの電気光学特性に応じた最大輝度基準電圧Ｖmax(R)、Ｖmax(G)、Ｖmax(B)を順次供給するＶmax(X)生成回路１４２−２及びＲＧＢ切換スイッチ１４２−３と、γカーブ生成ラダー回路１４２−１にＲＧＢ各色の有機ＥＬ素子ＯＬＥＤの電気光学特性に応じた最小輝度基準電圧Ｖs(R)、Ｖs(G)、Ｖs(B)を順次供給するＶs(X)生成回路１４２−４及びＲＧＢ切換スイッチ１４２−５と、を備えている。
【００３９】
ここで、Ｖmax(X)生成回路１４２−２又はＶs(X)生成回路１４２−４は、例えば図５（ａ）に示すように、接地電位Ｖgnd等の基準電圧と高電位側基準電圧Ｖmax又は低電位側基準電圧Ｖｓに接続されたスイッチ部ＳＷ１と、該スイッチ部ＳＷ１により両端に上記接地電位Ｖgndと高電位側基準電圧Ｖmax又は低電位側基準電圧Ｖｓが印加されるラダー抵抗Ｒ１〜Ｒ４と、該ラダー抵抗Ｒ１〜Ｒ４の各接続接点から最大輝度基準電圧Ｖmax(R)、Ｖmax(G)、Ｖmax(B)又は最小輝度基準電圧Ｖs(R)、Ｖs(G)、Ｖs(B)を取り出して出力するスイッチ部ＳＷ２ｒ、ＳＷ２ｇ、ＳＷ２ｂと、を備えた回路構成を適用することができる。
【００４０】
スイッチ部ＳＷ１は、具体的には、一端側の接点ａ１が接地電位Ｖgnd等の基準電圧に接続され、他端側の接点ｂ１がラダー抵抗Ｒ１〜Ｒ４の他端側（図面右方）に、また、接点ｂ２がラダー抵抗Ｒ１〜Ｒ４の一端側（図面左方の抵抗Ｒ１側）に接続されたスイッチと、一端側の接点ａ２が所定の抵抗を介して高電位側基準電圧Ｖmax又は低電位側基準電圧Ｖｓに接続され、他端側の接点ｂ３がラダー抵抗Ｒ１〜Ｒ４の他端側（図面右方の抵抗Ｒ４側）に接続されたスイッチと、を備え、これらのスイッチが連動して、接点ａ１、ａ２が各々接点ｂ１、ｂ２側、又は、接点ｂ２、ｂ３側のいずれかに接続された２通りの状態に設定される。
【００４１】
すなわち、接点ａ１、ａ２が各々接点ｂ１、ｂ２に接続された場合には、ラダー抵抗Ｒ１〜Ｒ４の抵抗Ｒ１側に高電位側基準電圧Ｖmax又は低電位側基準電圧Ｖｓが印加されるとともに、抵抗Ｒ４側に接地電位Ｖgndが印加される。一方、接点ａ１、ａ２が各々接点ｂ２、ｂ３に接続された場合には、ラダー抵抗Ｒ１〜Ｒ４の抵抗Ｒ１側に接地電位Ｖgndが印加されるとともに、抵抗Ｒ４側に高電位側基準電圧Ｖmax又は低電位側基準電圧Ｖｓが印加される。これにより、ラダー抵抗Ｒ１〜Ｒ４の両端に印加された電圧が各抵抗値に応じて分圧されて各接続接点から取り出される。
【００４２】
スイッチ部ＳＷ２ｒは、具体的には、一端側の接点ｃ１が赤（Ｒ）色の最大輝度基準電圧Ｖmax(R)又は最小輝度基準電圧Ｖs(R)の出力ラインに接続され、他端側の接点ｒ及び接点ｂが抵抗Ｒ１とＲ２の接続接点に接続され、接点ｇが抵抗Ｒ２とＲ３の接続接点に接続されている。また、スイッチ部ＳＷ２ｇは、具体的には、一端側の接点ｃ２が緑（Ｇ）色の最大輝度基準電圧Ｖmax(G)又は最小輝度基準電圧Ｖs(G)の出力ラインに接続され、他端側の接点ｒが抵抗Ｒ２とＲ３の接続接点に接続され、接点ｇが抵抗Ｒ１とＲ２の接続接点に接続され、接点ｂが抵抗Ｒ３とＲ４の接続接点に接続されている。また、スイッチ部ＳＷ２ｂは、具体的には、一端側の接点ｃ３が青（Ｂ）色の最大輝度基準電圧Ｖmax(B)又は最小輝度基準電圧Ｖs(B)の出力ラインに接続され、他端側の接点ｒ及び接点ｇが抵抗Ｒ３とＲ４の接続接点に接続され、接点ｂが抵抗Ｒ２とＲ３の接続接点に接続されている。そして、スイッチ部ＳＷ２ｒ、ＳＷ２ｇ、ＳＷ２ｂは連動して、接点ｃ１、ｃ２、ｃ３が各々接点ｒ、ｇ、ｂのいずれかに接続された３通りの状態に設定される。
【００４３】
なお、ラダー抵抗Ｒ１〜Ｒ４は、例えば図５（ｂ）に示すように、同一の抵抗値を有する単位抵抗Ｒが３個直列に接続された経路と、同単位抵抗Ｒが２個直列に接続された経路と、同単位抵抗Ｒが１個のみ接続された経路と、単位抵抗Ｒが接続されていない経路と、が並列に接続された抵抗回路において、任意の経路の所定の箇所Ｌa1〜Ｌa3、Ｌb1〜Ｌb3を切断することにより任意の抵抗値を有する抵抗Ｒ１〜Ｒ４を生成することができる。
【００４４】
これにより、例えば表１に示すように、スイッチ部ＳＷ１（の接点ａ１、ａ２）を接点ｂ１、ｂ２側に接続した状態で、スイッチ部ＳＷ２ｒ（の接点ｃ１）、ＳＷ２ｇ（の接点ｃ２）、ＳＷ２ｂ（の接点ｃ３）を各々接点ｒ側に接続することにより、ＲＧＢの順に電圧値の高い最大輝度基準電圧Ｖmax(R)、Ｖmax(G)、Ｖmax(B)（Ｖmax(R)≧Ｖmax(G)≧Ｖmax(B)）、又は、最小輝度基準電圧Ｖs(R)、Ｖs(G)、Ｖs(B)（Ｖs(R)≧Ｖs(G)≧Ｖs(B)）を生成することができ、また、スイッチ部ＳＷ２ｒ（の接点ｃ１）、ＳＷ２ｇ（の接点ｃ２）、ＳＷ２ｂ（の接点ｃ３）を各々接点ｇ側に接続することにより、ＧＲＢの順に電圧値の高い最大輝度基準電圧Ｖmax(G)、Ｖmax(R)、Ｖmax(B)（Ｖmax(G)≧Ｖmax(R)≧Ｖmax(B)）、又は、最小輝度基準電圧Ｖs(G)、Ｖs(R)、Ｖs(B)（Ｖs(G)≧Ｖs(R)≧Ｖs(B)）を生成することができ、スイッチ部ＳＷ２ｒ（の接点ｃ１）、ＳＷ２ｇ（の接点ｃ２）、ＳＷ２ｂ（の接点ｃ３）を各々接点ｂ側に接続することにより、ＲＢＧの順に電圧値の高い最大輝度基準電圧Ｖmax(R)、Ｖmax(B)、Ｖmax(G)（Ｖmax(R)≧Ｖmax(B)≧Ｖmax(G)）、又は、最小輝度基準電圧Ｖs(R)、Ｖs(B)、Ｖs(G)（Ｖs(R)≧Ｖs(B)≧Ｖs(G)）を生成することができる。
【００４５】
また、スイッチ部ＳＷ１（の接点ａ１、ａ２）を接点ｂ２、ｂ３側に接続した状態で、スイッチ部ＳＷ２ｒ（の接点ｃ１）、ＳＷ２ｇ（の接点ｃ２）、ＳＷ２ｂ（の接点ｃ３）を各々接点ｒ側に接続することにより、ＢＧＲの順に電圧値の高い最大輝度基準電圧Ｖmax(B)、Ｖmax(G)、Ｖmax(R)（Ｖmax(B)≧Ｖmax(G)≧Ｖmax(R)）、又は、最小輝度基準電圧Ｖs(B)、Ｖs(G)、Ｖs(R)（Ｖs(B)≧Ｖs(G)≧Ｖs(R)）を生成することができ、また、スイッチ部ＳＷ２ｒ（の接点ｃ１）、ＳＷ２ｇ（の接点ｃ２）、ＳＷ２ｂ（の接点ｃ３）を各々接点ｇ側に接続することにより、ＢＧＲの順に電圧値の高い最大輝度基準電圧Ｖmax(B)、Ｖmax(G)、Ｖmax(R)（Ｖmax(B)≧Ｖmax(G)≧Ｖmax(R)）、又は、最小輝度基準電圧Ｖs(B)、Ｖs(G)、Ｖs(R)（Ｖs(B)≧Ｖs(G)≧Ｖs(R)）を生成することができ、スイッチ部ＳＷ２ｒ（の接点ｃ１）、ＳＷ２ｇ（の接点ｃ２）、ＳＷ２ｂ（の接点ｃ３）を各々接点ｂ側に接続することにより、ＧＢＲの順に電圧値の高い最大輝度基準電圧Ｖmax(G)、Ｖmax(B)、Ｖmax(R)（Ｖmax(G)≧Ｖmax(B)≧Ｖmax(R)）、又は、最小輝度基準電圧Ｖs(G)、Ｖs(B)、Ｖs(R)（Ｖs(G)≧Ｖs(B)≧Ｖs(R)）を生成することができる。
【００４６】
よって、本実施形態に係るデータドライバ１４０（階調電圧生成部１４２）のＶmax(X)生成回路１４２−２又はＶs(X)生成回路１４２−４において、ラダー抵抗Ｒ１〜Ｒ４を適宜設定することにより、ＲＧＢ各色の有機ＥＬ素子ＯＬＥＤにおける発光色（輝度階調値）を調整して色バランスを揃えるように、γカーブ生成ラダー回路１４２−１におけるガンマ補正処理に用いるガンマ補正曲線の特性を規定する最大輝度基準電圧Ｖmax(R)、Ｖmax(G)、Ｖmax(B)、及び、最小輝度基準電圧Ｖs(R)、Ｖs(G)、Ｖs(B)を設定して供給することができる。ここで、最小輝度基準電圧Ｖs(R)、Ｖs(G)、Ｖs(B)は、ＲＧＢ各色の有機ＥＬ素子ＯＬＥＤにおける発光開始電圧に相当する。
【００４７】
【表１】
2009180765.tif 000003
【００４８】
上記Ｖmax(X)生成回路１４２−２又はＶs(X)生成回路１４２−４により生成された最大輝度基準電圧Ｖmax(R)、Ｖmax(G)、Ｖmax(B)、及び、最小輝度基準電圧Ｖs(R)、Ｖs(G)、Ｖs(B)は、例えばシステムコントローラ１５０からデータ制御信号として供給される同期信号ＣＬＫ及びＲＧＢ切換制御信号Ｓ１、Ｓ２に基づいてＲＧＢ切換スイッチ１４２−３、１４２−５により、ＲＧＢ各色のサブ画素ＰＸｒ、ＰＸｇ、ＰＸｂのカラー表示データの取り込みタイミングに対応するように、各色ごとの最大輝度基準電圧及び最小輝度基準電圧の組み合わせ、すなわち、Ｖmax(R)及びＶs(R)、Ｖmax(G)及びＶs(G)、Ｖmax(B)及びＶs(B)が選択的（時分割的）にγカーブ生成ラダー回路１４２−１に供給されるように制御される。
【００４９】
そして、γカーブ生成ラダー回路１４２−１において、シフトレジスタ・データレジスタ部１４１を介して順次取り込まれるＲＧＢ各色のカラー表示データに対して、上記最大輝度基準電圧Ｖmax(R)、Ｖmax(G)、Ｖmax(B)、及び、最小輝度基準電圧Ｖs(R)、Ｖs(G)、Ｖs(B)により特性が規定されるガンマ補正曲線を用いて時分割的にデジタル−アナログ変換処理を施して、ガンマ補正されたアナログ信号電圧を各色ごとの階調電圧Ｖpix（Ｖpix(r)、Ｖpix(g)、Ｖpix(b)）として後段のデマルチプレクサ１４３に順次出力する。
【００５０】
ここで、本実施形態に適用される階調電圧生成部１４２において、時分割的に切り換え設定される最大輝度基準電圧及び最小輝度基準電圧の電圧値と、ＲＧＢ各色の有機ＥＬ素子ＯＬＥＤの電気光学特性との関係について説明する。
図６は、ＲＧＢ各色の有機ＥＬ素子のアノード−カソード間に印加される電圧（有機ＥＬ電圧）と発光輝度との関係を示す電圧−輝度特性図であり、図７は、図６に示した有機ＥＬ素子の電圧−輝度特性において、規格化した電圧と発光輝度との関係を示す規格化電圧−輝度特性図である。
【００５１】
ＲＧＢ各色の表示画素を実現するために、画素開口率やトランジスタ等の素子サイズを含む画素回路設計を各色で略同一とし、かつ、各色で異なる素子構造を有する有機ＥＬ素子を適用した場合、ＲＧＢの３色で白表示を実現する際の各色ごとの輝度バランスの設定やそれぞれの素子の電流効率の違いに起因して、例えば図６に示すように、有機ＥＬ素子のアノード−カソード間に印加される電圧（有機ＥＬ電圧）Ｖelと発光輝度との関係を示す電圧−輝度特性曲線はＲＧＢの各色で異なる。そのため、ＲＧＢ各色において最大（最高）輝度階調で発光動作させるための有機ＥＬ電圧（最大輝度発光電圧）Ｖelm(R)、Ｖelm(G)、Ｖelm(B)も色ごとに異なる。ここで、図６においては、ＲＧＢ各色の最大輝度発光電圧Ｖelm(R)、Ｖelm(G)、Ｖelm(B)における発光輝度は、各々２０００cd/m2、４０００cd/m2、２５００cd/m2であって、その輝度バランスは、Ｒ：Ｇ：Ｂ＝４：８：５に設定されている。
【００５２】
この図６において、ＲＧＢ各色における最小（最低）輝度階調となる有機ＥＬ電圧（発光開始電圧）Ｖels(R)、Ｖels(G)、Ｖels(B)を揃え、かつ、電圧（有機ＥＬ電圧）と発光輝度との関係を各々規格化すると、図７のように表すことができる。ここでは、各色ごとに有機ＥＬ電圧Ｖelと発光開始電圧Ｖelsとの差分を、最大輝度発光電圧Ｖelmと発光開始電圧Ｖelsとの差分で除算して電圧成分を規格化し（（Ｖel−Ｖels）／（Ｖelm−Ｖels））、この規格化電圧における各発光輝度を最大輝度で除算して輝度成分を規格化した。
【００５３】
この図７によれば、有機ＥＬ電圧Ｖelにおいて、ＲＧＢごとの発光開始電圧Ｖels(R)、Ｖels(G)、Ｖels(B)を補正するとともに、最大輝度発光電圧Ｖelmを用いて規格化することにより、表示データ（輝度階調値）に応じた階調電圧を表示画素（有機ＥＬ素子）に供給するデジタル−アナログ変換回路（階調電圧生成部）における輝度階調値に対する出力電圧（アナログ階調電圧）の関係を示す出力カーブ（階調−電圧特性曲線）をＲＧＢの各色で略同一にすることができ、上記出力電圧（階調電圧）に対応する有機ＥＬ電圧と有機ＥＬ素子の発光輝度との関係を示す輝度カーブ（電圧−輝度特性曲線）をＲＧＢで略同等にすることができることを示している。
【００５４】
すなわち、単一（共通）のガンマ特性を備えた単一のデジタル−アナログ変換回路において、最大（最高）の輝度階調値に対応する出力電圧（最大輝度発光電圧）を生成するための最大輝度基準電圧Ｖmax(R)、Ｖmax(G)、Ｖmax(B)、及び、最小（最低）の輝度階調値に対応する出力電圧（発光開始電圧）を生成するための最小輝度基準電圧Ｖs(R)、Ｖs(G)、Ｖs(B)の双方又はいずれか一方を、カラー表示データのＲＧＢごとに切り換え設定することにより、カラー表示データに含まれるＲＧＢ各色の輝度階調値に対する有機ＥＬ素子における発光輝度の関係を示す階調−輝度特性曲線（ガンマ補正曲線）を各色ごとに対応させることができる。
【００５５】
本実施形態に係る階調電圧生成部１４２において、カラー表示データに含まれる輝度階調値に対する発光輝度の関係について詳しく検証すると、ＲＧＢの輝度バランスとして上述したＲ：Ｇ：Ｂ＝４：８：５に設定された各色の有機ＥＬ素子について、ＲＧＢ各色の発光開始電圧を例えばＶs(R)＝２Ｖ、Ｖs(G)＝２．８Ｖ、Ｖs(B)＝３．４Ｖに切り換え設定した場合、８ｂｉｔ２５６階調の輝度階調値に対する規格化輝度（最大輝度で規格化された発光輝度）の関係は、例えば図８のように、ＲＧＢ各色の階調−輝度特性曲線が略一致し、そのばらつきを１％未満に抑制することができることが判明した。この場合の階調電圧生成部１４２（γカーブ生成ラダー回路１４２−１）で実行されるデジタル−アナログ変換における輝度階調値に対する規格化電圧（最大出力電圧で規格化された出力電圧）の関係は、図９に示すように、ＲＧＢ各色で略一致する。一方、発光開始電圧を色ごとに切り換え設定しない場合には、輝度階調値に対する規格化輝度の関係は、例えば図１０のように、ＲＧＢ各色間で差異が生じ、そのばらつきが最大２．７％に達することが観測された。
【００５６】
ここで、図８は、本実施形態に係る階調電圧生成部において、発光開始電圧をＲＧＢ各色ごとに切り換え設定した場合の輝度階調値と規格化された発光輝度との関係を示す階調−輝度特性図であり、図９は、本実施形態に係る階調電圧生成部（γカーブ生成ラダー回路）における輝度階調値と各色の規格化された出力電圧との関係を示す階調−電圧特性図である。また、図１０は、発光開始電圧を固定した場合の輝度階調値と規格化された発光輝度との関係を示す階調−輝度特性図である。
【００５７】
したがって、上述した本実施形態に示したように、階調電圧生成部に設けられた単一（共通）のγカーブ生成ラダー回路において、ＲＧＢの各色のカラー表示データが取り込まれるタイミングに同期して、最大輝度基準電圧Ｖmax(R)、Ｖmax(G)、Ｖmax(B)、及び、最小輝度基準電圧Ｖs(R)、Ｖs(G)、Ｖs(B)の少なくともいずれか一方、好ましくは双方の基準電圧を時分割的に切り換えて印加することにより規定されるγカーブ（階調−電圧特性曲線）に基づいて、各色成分ごとに有機ＥＬ素子の電気光学特性に応じた階調電圧を生成することができ、ＲＧＢ各色の有機ＥＬ素子における電圧−輝度特性曲線に基づいて、カラー表示データに含まれる輝度階調値に応じた発光輝度で各色の有機ＥＬ素子を発光動作させることができる。
【００５８】
デマルチプレクサ１４３は、例えばシステムコントローラ１５０からデータ制御信号として供給されるＲＧＢ切換制御信号Ｓ１、Ｓ２に基づいて、階調電圧生成部１４２から順次出力される各色ごとの階調電圧Ｖpix（Ｖpix(r)、Ｖpix(g)、Ｖpix(b)）を時分割的に分配して、各色ごとの階調電圧Ｖpix(r)、Ｖpix(g)、Ｖpix(b)を生成し、個別の信号線を介して後段のラッチ回路１４４に並列的に出力する。すなわち、本実施形態に適用されるデマルチプレクサ１４３は、順次入力されるシリアル信号（階調電圧Ｖpix）を、１：３（＝入力数：出力数）に時分割変換して３つのパラレル信号（階調電圧Ｖpix(r)、Ｖpix(g)、Ｖpix(b)）を生成する機能を有している。
【００５９】
ラッチ回路１４４は、デマルチプレクサ１４３から並列的に出力された階調電圧Ｖpix(r)、Ｖpix(g)、Ｖpix(b)を個別にラッチ（一時保持）し、例えばシステムコントローラ１５０からデータ制御信号として供給される出力制御信号ＯＥＮに基づいて、隣接するＲＧＢ３色のサブ画素ＰＸｒ、ＰＸｇ、ＰＸｂが接続された各列のデータラインＬdr、Ｌdg、Ｌdbに対して、同一のタイミングで並列的に階調電圧Ｖpix(r)、Ｖpix(g)、Ｖpix(b)を出力する。
【００６０】
（システムコントローラ）
システムコントローラ１５０は、上述した選択ドライバ１２０、電源ドライバ１３０及びデータドライバ１４０の各々に対して、動作状態を制御する選択制御信号、電源制御信号及びデータ制御信号を生成して出力することにより、各ドライバを所定のタイミングで動作させて、選択信号Ｓsel、電源電圧Ｖcc及び階調電圧Ｖpix（Ｖpix(r)、Ｖpix(g)、Ｖpix(b)）を生成して出力させ、各表示画素ＰＩＸ（サブ画素ＰＸｒ、ＰＸｇ、ＰＸｂ）における一連の駆動制御動作（表示データ取込・階調電圧生成動作、書込動作、保持動作、及び、発光動作）を実行させて、映像信号に基づく画像情報を表示領域１１０に表示させる制御を行う。
【００６１】
（表示信号生成回路）
表示信号生成回路１６０は、例えば表示装置１００の外部から供給される映像信号から輝度階調信号成分を抽出し、表示領域１１０の１行分ごとに、該輝度階調信号成分をデジタル信号からなる表示データ（ＲＧＢＲＧＢＲ・・・の各サブ画素に対応する連続する輝度階調データ（シリアルデータ））としてデータドライバ１４０に供給する。ここで、上記映像信号が、テレビ放送信号（コンポジット映像信号）のように、画像情報の表示タイミングを規定するタイミング信号成分を含む場合には、表示信号生成回路１６０は、上記輝度階調信号成分を抽出する機能のほかに、タイミング信号成分を抽出してシステムコントローラ１５０に供給する機能を有するものであってもよい。この場合においては、上記システムコントローラ１５０は、表示信号生成回路１６０から供給されるタイミング信号に基づいて、選択ドライバ１２０や電源ドライバ１３０、データドライバ１４０に対して個別に供給する各制御信号を生成する。
【００６２】
＜表示装置の駆動方法＞
次に、本実施形態に係る表示装置における駆動方法について説明する。
図１１は、本実施形態に係る表示装置における駆動方法の一例を示すタイミングチャートであり、図１２は、本実施形態に係る表示装置の駆動方法に適用される選択動作の一具体例を示すタイミングチャートである。ここでは、説明の都合上、表示領域１１０にマトリクス状に配列された表示画素ＰＩＸ（サブ画素ＰＸｒ、ＰＸｇ、ＰＸｂ）のうち、ｉ行ｊ列、及び、（ｉ＋１）行ｊ列（ｉは１≦ｉ≦ｎとなる正の整数、ｊは１≦ｊ≦ｍとなる正の整数）の表示画素ＰＩＸを、表示信号生成回路１６０から供給されるカラー表示データに応じた輝度階調で発光動作させる場合のタイミングチャートを示す。
【００６３】
本実施形態に係る表示装置１００の駆動制御動作は、例えば図１１に示すように、ｉ行及び（ｉ＋１）行を含む例えば上方領域、下方領域いずれかのグループの表示画素ＰＩＸにおいて、所定の１処理サイクル期間Ｔcyc内に、表示信号生成回路１６０からシフトレジスタ・データレジスタ部１４１を介して供給されるＲＧＢからなるカラー表示データ（輝度階調データ）を、例えばＲＧＢの順に階調電圧生成部１４２に取り込み、当該カラー表示データの色成分に応じた特性を有するガンマ補正曲線を用いてデジタル−アナログ変換処理を順次施して、ガンマ補正されたアナログ信号からなる階調電圧Ｖpix（Ｖpix(r)、Ｖpix(g)、Ｖpix(b)）を生成する階調電圧設定動作（階調電圧設定動作期間Ｔsig）と、ＲＧＢの各色ごとに生成された該階調電圧Ｖpix（Ｖpix(r)、Ｖpix(g)、Ｖpix(b)）を、各列のデータラインＬdr、Ｌdg、Ｌdbを介して、同一のタイミングで並列的にＲＧＢ各色のサブ画素ＰＸｒ、ＰＸｇ、ＰＸｂに出力する書込動作（書込動作期間Ｔwrt）と、該書込動作により各色の表示画素ＰＩＸ（サブ画素ＰＸｒ、ＰＸｇ、ＰＸｂ）の画素駆動回路ＤＣに設けられたトランジスタＴｒ１３のゲート−ソース間に書き込み設定された、上記階調電圧Ｖpix（Ｖpix(r)、Ｖpix(g)、Ｖpix(b)）に応じた電圧成分をキャパシタＣｓに充電して保持する保持動作（保持動作期間Ｔhld）と、該保持動作によりキャパシタＣｓに保持された電圧成分に基づいて、上記カラー表示データに応じた電流値を有する発光駆動電流Ｉemを有機ＥＬ素子ＯＬＥＤに流して、所望の輝度階調で発光させる発光動作（発光動作期間Ｔem）と、を実行するように設定されている（Ｔcyc≧Ｔsig＋Ｔwrt＋Ｔhld＋Ｔem）。
【００６４】
ここで、上記階調電圧設定動作及び書込動作は、図１２に示すように、当該行（ｉ行目）の選択期間Ｔsel(i)内に実行されるように設定されている（Ｔsel≧Ｔsig＋Ｔwrt）。また、上記階調電圧設定動作期間Ｔsigにおいては、電源電圧ラインＬｖにローレベルの電源電圧Ｖcc（＝Ｖccw）が印加された状態で、図１２に示すように、表示データ取込動作として、表示信号生成回路１６０からシフトレジスタ・データレジスタ部１４１を介してＲＧＢの順で時分割的に供給されるカラー表示データを階調電圧生成部１４２に取り込む表示データ取込動作と、当該カラー表示データの色に応じて切り換え設定される最大輝度基準電圧Ｖmax(R)、Ｖmax(G)、Ｖmax(B)及び最小輝度基準電圧Ｖs(R)、Ｖs(G)、Ｖs(B)に基づいて特性が規定されるガンマ補正曲線を用いて、ＲＧＢ各色のカラー表示データを順次デジタル−アナログ変換することによりガンマ補正された階調電圧Ｖpix（Ｖpix(r)、Ｖpix(g)、Ｖpix(b)）を生成する階調電圧生成動作と、が一連の動作として連続的に実行されるように設定されている。
【００６５】
また、発光動作期間Ｔemにおいて、有機ＥＬ素子ＯＬＥＤに流れる発光駆動電流Ｉemの電流値は、書込動作期間Ｔwrtに画素駆動回路ＤＣに設けられたトランジスタＴｒ１３のドレイン−ソース間に流れるドレイン・ソース間電流Ｉdsの電流値にしたがっており、好ましくは互いに電流値が一致している。
【００６６】
なお、上述した各動作は、システムコントローラ１５０から供給される各種制御信号に基づいて実行される。また、本実施形態に係る駆動制御動作に適用される１処理サイクル期間Ｔcycは、例えば、１つのカラー画素ＣＰＸ（１組のサブ画素ＰＸｒ、ＰＸｇ、ＰＸｂ）が１フレームの画像のうちの１画素分の画像情報を表示するのに要する期間に設定される。すなわち、複数の表示画素ＰＩＸを行方向及び列方向にマトリクスに配列した表示領域１１０において、１フレームの画像を表示する場合、上記１処理サイクル期間Ｔcycは、１行分の表示画素ＰＩＸが１フレームの画像のうちの１行分の画像を表示するのに要する期間に設定される。
【００６７】
以下、各動作について、図１１及び図１２に示したタイミングチャートを適宜参照しながら具体的に説明する。
（表示データ取込動作／階調電圧生成動作）
図１３は、本実施形態に係る表示装置における表示データ取込動作及び階調電圧生成動作を示す概念図である。なお、図１３以降に示す各動作概念図においては、データドライバ１４０からカラー表示データに応じた階調電圧Ｖpixが供給される表示画素ＰＩＸとして、ＲＧＢ３色のサブ画素ＰＸｒ、ＰＸｇ、ＰＸｂのうち、サブ画素ＰＸｒのみを示して説明する。
【００６８】
本実施形態に係る表示データ取込動作は、図１１〜図１３に示すように、階調電圧設定動作期間Ｔsigにおいて、ｉ行目の表示画素ＰＩＸに接続された電源電圧ラインＬｖ（図１に示した表示装置においては、ｉ行目が含まれるグループの全表示画素ＰＩＸ（サブ画素ＰＸｒ、ＰＸｇ、ＰＸｂ）に共通に接続された電源電圧ラインＬｖ）に対して、電源ドライバ１３０から書込動作レベルである低電位の電源電圧Ｖcc（＝Ｖccw≦基準電圧Ｖss）を印加した状態で、選択ドライバ１２０からｉ行目の選択ラインＬｓに選択レベル（ハイレベル）の選択信号Ｓselを印加して、ｉ行目の表示画素ＰＩＸ（サブ画素ＰＸｒ、ＰＸｇ、ＰＸｂ）を選択状態に設定する。
【００６９】
これにより、ｉ行目の表示画素ＰＩＸの画素駆動回路ＤＣに設けられたトランジスタＴｒ１１がオン動作して、トランジスタＴｒ１３（駆動トランジスタ）がダイオード接続状態に設定され、上記電源電圧Ｖcc（＝Ｖccw）がトランジスタＴｒ１３のドレイン端子及びゲート端子（接点Ｎ１１；キャパシタＣｓの一端側）に印加されるとともに、トランジスタＴｒ１２もオン状態となってトランジスタＴｒ１３のソース端子（接点Ｎ１２；キャパシタＣｓの他端側）が各列のデータラインＬｄに電気的に接続される。
【００７０】
一方、このタイミングに同期して、システムコントローラ１５０から供給されるデータ制御信号に基づいて、図１２、図１３に示すように、データドライバ１４０において、上述した表示信号生成回路１６０からデジタルシリアルデータとしてＲＧＢＲＧＢ・・・の順で供給されるカラー表示データを、シフトレジスタ・データレジスタ部１４１を介して順次取り込み、相互に隣接するＲＧＢ３色の表示画素ＰＩＸ（サブ画素ＰＸｒ、ＰＸｇ、ＰＸｂ）が接続された３列（データラインＬdr、Ｌdg、Ｌdb）ごとに対応して各１個ずつ設けられた階調電圧生成部１４２に時分割的に転送する（表示データ取込動作）。
【００７１】
階調電圧生成部１４２においては、ＲＧＢの順で取り込まれたカラー表示データ（ＲＧＢカラー表示データ）の輝度階調値に基づいて、ＲＧＢ各色の表示画素ＰＩＸ（サブ画素ＰＸｒ、ＰＸｇ、ＰＸｂ）の有機ＥＬ素子ＯＬＥＤを所定の輝度階調で発光動作、又は、無発光動作（黒表示動作）させるための階調電圧Ｖpix（Ｖpix(r)、Ｖpix(g)、Ｖpix(b)）を時分割的に生成する。
【００７２】
具体的には、図１２に示すように、システムコントローラ１５０から供給される同期信号ＣＬＫの立ち上がりタイミングにおいて、ＲＧＢ切換制御信号Ｓ１、Ｓ２の信号レベルがともにハイレベル（Ｈ、Ｈ）の場合には、Ｖmax(X)生成回路１４２−２において予め設定された最大輝度基準電圧Ｖmax(R)、Ｖmax(G)、Ｖmax(B)のうち、赤（Ｒ）色に対応する最大輝度基準電圧Ｖmax(R)がＲＧＢ切換スイッチ１４２−３を介してγカーブ生成ラダー回路１４２−１に印加されるとともに、Ｖs(X)生成回路１４２−４において予め設定された最小輝度基準電圧Ｖs(R)、Ｖs(G)、Ｖs(B) のうち、赤（Ｒ）色に対応する最小輝度基準電圧Ｖs(R)がＲＧＢ切換スイッチ１４２−５を介してγカーブ生成ラダー回路１４２−１に印加される。
【００７３】
また、同期信号ＣＬＫの立ち上がりタイミングにおいて、ＲＧＢ切換制御信号Ｓ１、Ｓ２の信号レベルがハイレベル（Ｈ）、ローレベル（Ｌ）の場合には、緑（Ｇ）色に対応する最大輝度基準電圧Ｖmax(G)がＶmax(X)生成回路１４２−２からＲＧＢ切換スイッチ１４２−３を介してγカーブ生成ラダー回路１４２−１に印加されるとともに、緑（Ｇ）色に対応する最小輝度基準電圧Ｖs(G)がＶs(X)生成回路１４２−４からＲＧＢ切換スイッチ１４２−５を介してγカーブ生成ラダー回路１４２−１に印加される。
【００７４】
また、同期信号ＣＬＫの立ち上がりタイミングにおいて、ＲＧＢ切換制御信号Ｓ１、Ｓ２の信号レベルがともにローレベル（Ｌ、Ｌ）の場合には、青（Ｂ）色に対応する最大輝度基準電圧Ｖmax(B)がＶmax(X)生成回路１４２−２からＲＧＢ切換スイッチ１４２−３を介してγカーブ生成ラダー回路１４２−１に印加されるとともに、青（Ｂ）色に対応する最小輝度基準電圧Ｖs(B)がＶs(X)生成回路１４２−４からＲＧＢ切換スイッチ１４２−５を介してγカーブ生成ラダー回路１４２−１に印加される。
【００７５】
これにより、階調電圧生成部１４２（γカーブ生成ラダー回路１４２−１）に順次取り込まれるカラー表示データの取り込みタイミング及びその色に応じて、デジタル−アナログ変換回路であるγカーブ生成ラダー回路１４２−１に印加される最大輝度基準電圧Ｖmax(R)、Ｖmax(G)、Ｖmax(B)及び最小輝度基準電圧Ｖs(R)、Ｖs(G)、Ｖs(B)が切り換え設定されて、γカーブ生成ラダー回路１４２−１に予め設定された単一のガンマ特性（γカーブ）がＲＧＢ各色の有機ＥＬ素子ＯＬＥＤの電気光学特性に対応するように、当該特性（補正特性）が規定され、当該ガンマ補正曲線を用いて各色のカラー表示データ（輝度階調値）が時分割的にデジタル−アナログ変換されて、ガンマ補正されたアナログ信号電圧が各色ごとの階調電圧Ｖpix（Ｖpix(r)、Ｖpix(g)、Ｖpix(b)）としてデマルチプレクサ１４３に順次出力される（階調電圧生成動作）。
【００７６】
次いで、階調電圧生成部１４２により順次生成されて出力されたＲＧＢ各色の階調電圧Ｖpix（Ｖpix(r)、Ｖpix(g)、Ｖpix(b)）は、ＲＧＢ切換制御信号Ｓ１、Ｓ２に基づいて、デマルチプレクサ１４３によりＲＧＢの各色成分ごとに時分割的に分配される。具体的には、デマルチプレクサ１４３は、ＲＧＢ切換制御信号Ｓ１、Ｓ２の信号レベルがともにハイレベル（Ｈ、Ｈ）の場合には、赤（Ｒ）色に対応する階調電圧Ｖpix(r)を取り込み、第１の信号線を介してラッチ回路１４４に供給し、ＲＧＢ切換制御信号Ｓ１、Ｓ２の信号レベルがハイレベル（Ｈ）、ローレベル（Ｌ）の場合には、緑（Ｇ）色に対応する階調電圧Ｖpix(g)を取り込み、第２の信号線を介してラッチ回路１４４に供給し、ＲＧＢ切換制御信号Ｓ１、Ｓ２の信号レベルがともにローレベル（Ｌ、Ｌ）の場合には、青（Ｂ）色に対応する階調電圧Ｖpix(b)を取り込み、第３の信号線を介してラッチ回路１４４に供給する。
【００７７】
すなわち、階調電圧生成部１４２からシリアル信号として供給されたＲＧＢ各色の階調電圧Ｖpix（Ｖpix(r)、Ｖpix(g)、Ｖpix(b)）は、デマルチプレクサ１４３によりＲＧＢの個別の階調電圧Ｖpix(r)、Ｖpix(g)、Ｖpix(b)に分配され、個別の信号線（第１〜第３の信号線）を介して、パラレル信号としてラッチ回路１４４に順次供給される。
【００７８】
そして、ラッチ回路１４４に供給された階調電圧Ｖpix(r)、Ｖpix(g)、Ｖpix(b)は、個別にラッチ（一時保持）される。ここで、上述した表示データ生成動作及び階調電圧生成動作が実行される階調電圧設定動作期間Ｔsigにおいては、データドライバ１４０（ラッチ回路１４４）から階調電圧Ｖpix(r)、Ｖpix(g)、Ｖpix(b)は出力されず、各列のデータラインＬdr、Ｌdg、Ｌdbはハイインピーダンス状態に保持されている。後述する書込動作において、ラッチ回路１４４に供給される出力制御信号ＯＥＮがハイレベル（Ｈ）となるタイミングで、相互に隣接するＲＧＢ３色のサブ画素ＰＸｒ、ＰＸｇ、ＰＸｂが接続された各列のデータラインＬdr、Ｌdg、Ｌdbに対して、同時かつ並列的に階調電圧Ｖpix(r)、Ｖpix(g)、Ｖpix(b)が出力される。
【００７９】
したがって、この階調電圧設定動作期間Ｔsigにおいては、表示画素ＰＩＸ（サブ画素ＰＸｒ、ＰＸｇ、ＰＸｂの画素駆動回路ＤＣ）のトランジスタＴｒ１３のソース端子（接点Ｎ１２）に階調電圧Ｖpixは印加されず、トランジスタＴｒ１３のゲート−ソース間（キャパシタＣｓの両端）には電圧の書き込みは行われないので、トランジスタＴｒ１３はオン動作せず、有機ＥＬ素子ＯＬＥＤのアノード端子側の接点Ｎ１２の電位は、カソード端子ＴＭｃに印加される基準電圧Ｖssよりも低くなり（つまり、有機ＥＬ素子ＯＬＥＤが逆バイアス状態に設定され）、有機ＥＬ素子ＯＬＥＤには電流が流れず発光動作しない。
【００８０】
（書込動作）
図１４は、本実施形態に係る表示装置における書込動作を示す概念図である。
上述したように、選択状態に設定された行の各表示画素ＰＩＸ（サブ画素ＰＸｒ、ＰＸｇ、ＰＸｂ）について、選択期間Ｔsel(i)内に、カラー表示データを順次取り込み、ＲＧＢの各色成分ごとに階調電圧Ｖpix(r)、Ｖpix(g)、Ｖpix(b)を生成する動作の後、引き続き当該行の各表示画素ＰＩＸ（サブ画素ＰＸｒ、ＰＸｇ、ＰＸｂ）に階調電圧Ｖpix(r)、Ｖpix(g)、Ｖpix(b)を同時に書き込む書込動作を実行する。
【００８１】
書込動作（書込動作期間Ｔwrt）においては、図１２、図１４に示すように、システムコントローラ１５０からデータ制御信号として供給される出力制御信号ＯＥＮに基づいて、例えば当該出力制御信号ＯＥＮがハイレベルとなるタイミングで、上記ラッチ回路１４４からＲＧＢ３色のサブ画素ＰＸｒ、ＰＸｇ、ＰＸｂが接続された各列のデータラインＬdr、Ｌdg、Ｌdbに対して、上記階調電圧設定動作期間Ｔsigに生成された各色の階調電圧Ｖpix(r)、Ｖpix(g)、Ｖpix(b)を同時かつ並列的に印加する。ここで、書込動作期間Ｔwrtにおいては、上述した階調電圧設定動作期間Ｔsigと同様に、電源ドライバ１３０から書込みのための低電位の電源電圧Ｖcc（＝Ｖccw≦基準電圧Ｖss）が電源電圧ラインＬｖに印加されている。
【００８２】
ここで、上述した階調電圧設定動作期間Ｔsigにデータドライバ１４０（γカーブ生成ラダー回路１４２−１）において生成される各色の階調電圧Ｖpix(r)、Ｖpix(g)、Ｖpix(b)は、電源ドライバ１３０から電源電圧ラインＬｖに印加される書込動作レベルの低電位の電源電圧Ｖcc（＝Ｖccw）を基準として、相対的に負電位の電圧振幅を有するように設定されている。すなわち、階調電圧Ｖpixは階調が高くなるにしたがって負電位側により低く（電圧振幅の絶対値は大きく）なる。
【００８３】
これにより、図１４に示すように、選択状態に設定された表示画素ＰＩＸ（画素駆動回路ＤＣ）のトランジスタＴｒ１３のソース端子（接点Ｎ１２）に、階調電圧Ｖpix（Ｖpix(r)、Ｖpix(g)、Ｖpix(b)）が印加されるので、トランジスタＴｒ１３のゲート−ソース間（キャパシタＣｓの両端）に、当該階調電圧Ｖpixに応じた電圧Ｖgsが書き込み設定される。このような書込動作においては、トランジスタＴｒ１３のゲート端子及びソース端子に対して、表示データに応じた電流を流して電圧成分を設定するのではなく、直接所望の電圧（階調電圧Ｖpix）を印加しているので、各端子や接点の電位を速やかに所望の状態に設定することができる。
【００８４】
なお、この書込動作期間Ｔwrtにおいても、有機ＥＬ素子ＯＬＥＤのアノード端子側の接点Ｎ１２に印加される階調電圧Ｖpixの電圧値が、カソード端子ＴＭｃに印加される基準電圧Ｖssよりも低くなるように設定されている（つまり、有機ＥＬ素子ＯＬＥＤが逆バイアス状態に設定されている）ので、有機ＥＬ素子ＯＬＥＤには電流が流れず発光動作しない。
【００８５】
（保持動作）
図１５は、本実施形態に係る表示装置における保持動作を示す概念図である。
次いで、上述したような階調電圧設定動作（表示データ取込動作、階調電圧生成動作）及び書込動作終了後の保持動作（保持動作期間Ｔhld）においては、図１１に示すように、ｉ行目の選択ラインＬｓに非選択レベル（ローレベル）の選択信号Ｓselを印加することにより、図１５に示すように、トランジスタＴｒ１１及びＴｒ１２をオフ動作させて、トランジスタＴｒ１３のダイオード接続状態を解除するとともに、トランジスタＴｒ１３のソース端子（接点Ｎ１２）とデータラインＬｄとの電気的な接続を遮断して、トランジスタＴｒ１３のゲート−ソース間（キャパシタＣｓの両端）に階調電圧Ｖpix（Ｖpix(r)、Ｖpix(g)、Ｖpix(b)）に応じた電圧成分を充電（保持）する。
【００８６】
なお、本実施形態に係る表示装置の駆動方法においては、図１１、図１２に示すように、ｉ行目の表示画素ＰＩＸに対して上述したような階調電圧設定動作及び書込動作が終了した後の保持動作期間Ｔhldにおいて、選択ドライバ１２０から（ｉ＋１）行目の選択ラインＬｓに対して選択レベル（ハイレベル）の選択信号Ｓselが印加されることにより、（ｉ＋１）行目の表示画素ＰＩＸ（サブ画素ＰＸｒ、ＰＸｇ、ＰＸｂ）を選択状態に設定して、同グループの最終行（ｎ／２行又はｎ行）の選択期間Ｔselが終了するまで行ごとに上記と同様の階調電圧設定動作及び書込動作からなる一連の処理動作が実行される。
【００８７】
すなわち、選択ドライバ１２０から各行の選択ラインＬｓに対して選択レベルの選択信号Ｓselが異なるタイミングで順次印加されることにより、（ｉ＋１）行目以降の表示画素ＰＩＸにおいて、階調電圧設定動作及び書込動作が各行ごとに順次実行される。したがって、ｉ行目の表示画素ＰＩＸの保持動作期間Ｔhldにおいては、同グループの他の全ての行の表示画素ＰＩＸに対して表示データに応じた電圧成分（階調電圧Ｖpix）が順次書き込まれるまで保持動作が継続される。
【００８８】
（発光動作）
図１６は、本実施形態に係る表示装置における発光動作を示す概念図である。
次いで、任意のグループの上述した階調電圧設定動作、書込動作及び保持動作終了後の発光動作（発光動作期間Ｔem）においては、図１１に示すように、当該グループの各行の選択ラインＬｓに非選択レベル（ローレベル）の選択信号Ｓselを印加した状態で、各行の表示画素ＰＩＸ（サブ画素ＰＸｒ、ＰＸｇ、ＰＸｂ）に接続された電源電圧ラインＬｖに、電源ドライバ１３０から発光動作レベルである高電位の電源電圧Ｖcc（＝Ｖcce＞Ｖss）を印加する。
【００８９】
これにより、トランジスタＴｒ１３が飽和領域で動作し、また、有機ＥＬ素子ＯＬＥＤのアノード側（接点Ｎ１２）には上記書込動作によりトランジスタＴｒ１３のゲート−ソース間に書込設定された電圧成分（Ｖccw−Ｖpix）に応じた電圧が印加され、カソード端子ＴＭｃには基準電圧Ｖss（例えば接地電位）が印加されることにより、有機ＥＬ素子ＯＬＥＤは順バイアス状態に設定されるので、図１６に示すように、電源電圧ラインＬｖからトランジスタＴｒ１３を介して有機ＥＬ素子ＯＬＥＤに、カラー表示データ（すなわち、各色の階調電圧Ｖpix(r)、Ｖpix(g)、Ｖpix(b)）に応じた電流値を有する発光駆動電流Ｉem（トランジスタＴｒ１３のドレイン・ソース間電流Ｉds）が流れ、所望の輝度階調で発光動作する。この発光動作は、次の１処理サイクル期間Ｔcycのために、電源ドライバ１３０から書込動作レベルの電源電圧Ｖcc（＝Ｖccw）が印加されるタイミングまで継続して実行される。
【００９０】
なお、上述した一連の表示装置の駆動方法において、保持動作は、例えば、後述するように、各グループ内の全ての行の表示画素ＰＩＸへの書込動作が終了した後に、当該グループの全ての表示画素ＰＩＸを一斉に発光動作させる駆動制御を行う場合に、書込動作と発光動作の間に設けられる。この場合、保持動作期間Ｔhldの長さは行ごとに異なる。また、このような駆動制御を行わない場合には、保持動作を行わないものであってもよい。
【００９１】
以上説明したように、本実施形態に係る表示装置及びその駆動方法によれば、単一（共通）のガンマ特性を備えたデジタル−アナログ変換回路を具備し、例えばＲＧＢの３色のカラー表示データが供給されるタイミングに対応して、上記デジタル−アナログ変換回路に印加する階調基準電圧を順次切り換え設定し、ＲＧＢ各色の有機ＥＬ素子の電気光学特性に応じた特性を有するガンマ補正曲線を用いて時分割的にデジタル−アナログ変換処理を行ってＲＧＢ各色のカラー表示データ（輝度階調値）に対応した階調電圧を生成するデータドライバ（表示駆動装置）を有しているので、シリアルデータとして供給される各色のカラー表示データを単一の回路構成でガンマ補正処理することができ、表示装置の回路規模を大幅に小型化しつつ、表示データに応じた適切な輝度階調で各色の表示画素（有機ＥＬ素子）を発光動作させることができる。
【００９２】
また、本実施形態に係るデータドライバ（表示駆動装置）において生成、出力される階調信号（階調電圧）は電圧信号であるので、例えば書込動作期間にトランジスタＴｒ１３に流れるドレイン・ソース間電流Ｉdsの電流値を直接設定する電流ドライバとは異なるので、書込動作期間にトランジスタＴｒ１３に流れるドレイン・ソース間電流Ｉdsの電流値が微小であっても速やかにトランジスタＴｒ１３に流れるドレイン・ソース間電流Ｉdsに応じたゲート・ソース間電圧Ｖgsを設定することができる。そのため、比較的短い時間に設定された選択期間内に、カラー表示データの取り込み、階調電圧Ｖpixの生成、保持に加え、階調電圧ＶpixをトランジスタＴｒ１３のゲート−ソース間及びキャパシタＣｘに書き込む書込動作を良好に実現することができる。
【００９３】
＜駆動方法の具体例＞
次に、本実施形態において、図１に示したような表示領域１１０を備えた表示装置１００に特有の駆動方法について具体的に説明する。
本実施形態に係る表示装置（図１）においては、表示領域１１０に配列された表示画素ＰＩＸを、表示領域１１０の上方領域と下方領域からなる２組にグループ分けして、各グループごとに第１又は第２の電源電圧ラインＬｖ１、Ｌｖ２から分岐した個別の電源電圧ラインＬｖを介して独立した電源電圧Ｖccを印加するようにしているので、各グループに含まれる複数行の表示画素ＰＩＸ（サブ画素ＰＸｒ、ＰＸｇ、ＰＸｂ）を一斉に発光動作させることができる。
【００９４】
図１７は、本実施形態に係る表示領域を備えた表示装置における駆動方法の具体例を模式的に示した動作タイミング図である。なお、図１７においては、説明の都合上、便宜的に表示領域に１２行（ｎ＝１２；第１行〜第１２行）の表示画素が配列され、１〜６行目（上述した上方領域に対応する）及び７〜１２行目（上述した下方領域に対応する）の表示画素を各々一組として２組にグループ分けされている場合の動作タイミング図を示す。
【００９５】
本実施形態に係る表示装置１００における駆動制御方法は、例えば図１７に示すように、表示領域１１０の各行の表示画素ＰＩＸ（サブ画素ＰＸｒ、ＰＸｇ、ＰＸｂ）に対して、上述した階調電圧設定動作（表示データ取込動作、階調電圧生成動作）及び書込動作を連続して実行する処理を各行ごとに順次繰り返しつつ、予めグループ分けした１〜６行目又は７〜１２行目の表示画素ＰＩＸの画素駆動回路ＤＣに対して上記書込動作が終了したタイミングで、当該グループに含まれる全表示画素ＰＩＸをカラー表示データに応じた輝度階調で一斉に発光動作させる処理を各グループごとに順次繰り返すことにより、表示領域１１０一画面分の画像情報が表示される。
【００９６】
具体的には、表示領域１１０に配列された表示画素ＰＩＸに対して、１〜６行目の表示画素ＰＩＸからなるグループにおいて、当該グループの表示画素ＰＩＸに共通に接続された第１の電源電圧ラインＬｖ１を介して低電位の電源電圧Ｖcc（＝Ｖccw）を印加した状態で、１行目の表示画素ＰＩＸから順に、上記階調電圧設定動作、書込動作及び保持動作からなる連続する処理が、各行について繰り返し実行される。これにより、カラー表示データに含まれる輝度階調値に応じて生成された階調電圧Ｖpix（Ｖpix(r)、Ｖpix(g)、Ｖpix(b)）が各行の表示画素ＰＩＸの画素駆動回路ＤＣに書き込まれる。書込動作が終了した行の表示画素ＰＩＸは、保持動作に移行する。
【００９７】
そして、６行目の表示画素ＰＩＸについて書込動作が終了したタイミングで、当該グループの第１の電源電圧ラインＬｖ１を介して高電位の電源電圧Ｖcc（＝Ｖcce）を印加することにより、各表示画素ＰＩＸに書き込まれた階調電圧Ｖpixに基づく輝度階調で、当該グループの６行分の表示画素ＰＩＸを一斉に発光動作させる。この発光動作は、１行目の表示画素ＰＩＸに対して、次の階調電圧設定動作が開始されるタイミングまで継続される（１〜６行目の発光動作期間Ｔem）。なお、この駆動方法においては、当該グループの最終行となる６行目の表示画素ＰＩＸは書込動作後に保持動作に移行することなく（保持動作期間Ｔhldを有することなく）、発光動作が行われる。
【００９８】
また、上記１〜６行目の表示画素ＰＩＸについて書込動作が終了したタイミング（又は、１〜６行目の表示画素ＰＩＸについて発光動作が開始されたタイミング）で、７〜１２行目の表示画素ＰＩＸからなるグループにおいて、当該グループの表示画素ＰＩＸに共通に接続された第２の電源電圧ラインＬｖ２を介して低電位の電源電圧Ｖcc（＝Ｖccw）を印加し、７行目の表示画素ＰＩＸから順に、上記階調電圧設定動作、書込動作及び保持動作からなる連続する処理を、各行について繰り返し実行し、１２行目の表示画素ＰＩＸについて書込動作が終了したタイミングで、当該グループの第２の電源電圧ラインＬｖ２を介して高電位の電源電圧Ｖcc（＝Ｖcce）を印加することにより、各表示画素ＰＩＸに書き込まれた階調電圧Ｖpixに基づく輝度階調で、当該グループの６行分の表示画素ＰＩＸを一斉に発光動作させる（７〜１２行目の発光動作期間Ｔem）。この７〜１２行目の表示画素ＰＩＸに対して階調電圧設定動作、書込動作及び保持動作が実行されている期間においては、上述したように、１〜６行目の表示画素ＰＩＸが一斉に発光する動作が継続されている。
【００９９】
このように、表示領域１１０に配列された全表示画素ＰＩＸについて、各行の表示画素ＰＩＸごとに所定のタイミングで階調電圧設定動作、書込動作及び保持動作からなる連続する処理を順次実行し、予め設定された各グループについて、当該グループに含まれる全ての行の表示画素ＰＩＸへの書込動作が終了した時点で、当該グループの全ての表示画素ＰＩＸを一斉に発光動作させるように駆動制御される。
【０１００】
したがって、このような表示装置の駆動方法によれば、発光動作期間Ｔemの前において、同一グループ内の各行の表示画素に階調電圧設定動作及び書込動作を実行する期間中、当該グループ内の全ての表示画素（発光素子）の発光動作が行われず、無発光状態（黒表示状態）に設定することができる。
【０１０１】
図１７に示した動作タイミング図においては、表示領域１１０を構成する１２行の表示画素ＰＩＸを、２組にグループ分けして、各グループごとに異なるタイミングで一斉に発光動作を実行するように制御されるので、１フレーム期間Ｔfrmにおける上記無発光動作による黒表示期間の比率（黒挿入率）を５０％に設定することができる。ここで、人間の視覚において、動画像をボケやにじみがなく鮮明に視認するためには、一般に、概ね３０％以上の黒挿入率を有していることが目安になるので、本駆動方法によれば、比較的良好な表示画質を有する表示装置を実現することができる。
【０１０２】
なお、図１に示した表示領域１１０においては、複数の表示画素ＰＩＸを連続する行ごとに２組にグループ分けした場合について示したが、本発明はこれに限定されるものではなく、３組や４組等、任意の組数にグループ分けするものであってもよく、また、偶数行と奇数行のように連続しない行同士でグループ分けするものであってもよい。これによれば、グループ分けされた組数に応じて発光時間及び黒表示期間（黒表示状態）を任意に設定することができ、表示画質の改善を図ることができる。
【０１０３】
また、表示領域１１０に配列された複数の表示画素ＰＩＸを、上記のようにグループ分けすることなく、各行ごとに個別に配設（接続）された電源電圧ラインに対して、異なるタイミングで電源電圧Ｖccを独立して印加することにより、表示画素ＰＩＸを各行ごとに発光動作させるものであってもよいし、表示領域１１０に配列された一画面分の全ての表示画素ＰＩＸに対して、一斉に共通の電源電圧Ｖccを印加することにより、表示領域１１０一画面分の全ての表示画素を一斉に発光動作させるものであってもよい。
【０１０４】
＜第２の実施形態＞
次に、本発明に係る表示装置の第２の実施形態について説明する。ここで、表示装置の全体構成は上述した第１の実施形態と同等であるので、以下の説明においては、本実施形態に特有のデータドライバの構成及び駆動方法について詳しく説明する。
【０１０５】
上述した第１の実施形態においては、ＲＧＢの各色のカラー表示データ（輝度階調値）がデータドライバ１４０（階調電圧生成部１４２）に順次供給されるタイミングに対応して、γカーブ生成ラダー回路（ガンマ補正回路）１４２−１におけるガンマ補正曲線の特性をＲＧＢ各色の有機ＥＬ素子ＯＬＥＤの電気光学特性に対応させるように、最大輝度基準電圧Ｖmax(R)、Ｖmax(G)、Ｖmax(B)及び最小輝度基準電圧Ｖs(R)、Ｖs(G)、Ｖs(B)の双方を切り換え設定する場合について説明したが、第２の実施形態においては最大輝度基準電圧Ｖmax(R)、Ｖmax(G)、Ｖmax(B)又は最小輝度基準電圧Ｖs(R)、Ｖs(G)、Ｖs(B)のいずれか一方のみを切り換え設定するように構成されている。
【０１０６】
図１８は、本発明に係る表示装置に適用されるデータドライバの第２の実施形態を示す要部構成図である。ここで、上述した第１の実施形態と同等の構成についてはその説明を簡略化又は省略する。なお、本実施形態における表示装置の駆動方法は上述した第１の実施形態と同一であるのでその説明を省略する。
【０１０７】
第２の実施形態に係る表示装置に適用されるデータドライバ１４０は、図１８に示すように、上述した第１の実施形態の構成（図４参照）において、γカーブ生成ラダー回路１４２−１における最小輝度基準電圧Ｖs(R)、Ｖs(G)、Ｖs(B)をＲＧＢ各色ごとに切り換え設定するための最小基準電圧生成回路１４２−４とＲＧＢ切換スイッチ１４２−５を省略した構成を有している。
【０１０８】
すなわち、本実施形態においては、γカーブ生成ラダー回路１４２−１に予め設定された単一のガンマ特性を、ＲＧＢ各色に対応して切り換え設定される最大輝度基準電圧Ｖmax(R)、Ｖmax(G)、Ｖmax(B)のみに基づいて、各色の有機ＥＬ素子ＯＬＥＤの電気光学特性に対応させるように規定する。
【０１０９】
したがって、上述したような回路構成を有するデータドライバ（表示駆動装置）１４０を適用した表示装置によれば、ＲＧＢ各色のカラー表示データ（輝度階調値）に対するデジタルーアナログ変換処理において適用されるガンマ補正曲線は、上述した第１の実施形態に示したように、最大輝度基準電圧Ｖmax(R)、Ｖmax(G)、Ｖmax(B)及び最小輝度基準電圧Ｖs(R)、Ｖs(G)、Ｖs(B)の双方を切り換え設定する場合に比較して、ＲＧＢ各色の有機ＥＬ素子の電気光学特性への追従性はやや劣る（すなわち、ＲＧＢ各色に対する本来のガンマ補正曲線に緊密に一致しない）ものの、階調電圧生成部１４２において最小基準電圧生成回路１４２−４及びＲＧＢ切換スイッチ１４２−５を省略することができるので、表示装置の回路構成の小型化に寄与することができる。
【０１１０】
＜第３の実施形態＞
上述した第１の実施形態においては、データドライバ１４０（階調電圧生成部１４２）に順次供給されるＲＧＢの各色のカラー表示データ（輝度階調値）に応じて、γカーブ生成ラダー回路（ガンマ補正回路）１４２−１におけるガンマ補正曲線の特性を切り換えて、ＲＧＢ各色の有機ＥＬ素子ＯＬＥＤの電気光学特性に対応させた階調電圧Ｖpix（Ｖpix
(r)、Ｖpix(g)、Ｖpix(b)）を生成した後、デマルチプレクサ１４３によりＲＧＢ各色に対応するように時分割的に分配し、さらにラッチ回路１４４に一時保持して所定のタイミングで、ＲＧＢの各色の表示画素ＰＩＸ（サブ画素ＰＸｒ、ＰＸｇ、ＰＸｂ）に一斉に（同時に）印加して書き込む場合について説明したが、第３の実施形態においてはデマルチプレクサ１４３によりＲＧＢ各色に対応するように時分割的に分配した階調電圧Ｖpix（Ｖpix(r)、Ｖpix(g)、Ｖpix(b)）を、ラッチすることなく、ＲＧＢの各色の表示画素ＰＩＸ（サブ画素ＰＸｒ、ＰＸｇ、ＰＸｂ）に順次印加して書き込むように構成されている。
【０１１１】
図１９は、第３の実施形態に係る表示装置に適用可能な表示パネル及びデータドライバの一例を示す概略構成図であり、図２０は、本実施形態に係るデータドライバの要部構成図である。また、図２１は、本実施形態に係る表示装置の駆動方法の一例を示すタイミングチャートである。ここで、上述した第１の実施形態と同等の構成（図１〜図４参照）及び駆動方法（図１１、図１２参照）についてはその説明を簡略化又は省略する。
【０１１２】
第３の実施形態に係る表示装置に適用されるデータドライバ１４０は、図１９、図２０に示すように、上述した第１の実施形態の構成（図２、図４参照）において、γカーブ生成ラダー回路１４２−１より生成され、デマルチプレクサ１４３により時分割された階調電圧Ｖpixを一時保持（ラッチ）するラッチ回路１４４を省略した構成を有している。
【０１１３】
すなわち、本実施形態においては、γカーブ生成ラダー回路１４２−１により例えばＲＧＢの順でデジタル−アナログ変換処理を実行して生成されたシリアルデータからなる階調電圧Ｖpix（Ｖpix
(r)、Ｖpix(g)、Ｖpix(b)）を、デマルチプレクサ１４３によりＲＧＢの各色ごとに分配し、ＲＧＢ各色の表示画素ＰＩＸ（サブ画素ＰＸｒ、ＰＸｇ、ＰＸｂ）が接続された各列のデータラインＬｄ（Ｌdr、Ｌdg、Ｌdb）にＲＧＢの順に順次印加される。これにより、ＲＧＢの各色に対応した階調電圧Ｖpix（Ｖpix
(r)、Ｖpix(g)、Ｖpix(b)）が、選択状態に設定された特定の行の表示画素Ｖpix（Ｖpix(r)、Ｖpix(g)、Ｖpix(b)）に順次印加されて各画素駆動回路ＤＣのキャパシタＣｓに保持される書込動作が実行される。
【０１１４】
本実施形態における表示装置の駆動制御動作は、上述した第１の実施形態に示した駆動方法（図１１参照）において、選択期間Ｔselに実行される階調電圧設定動作（階調電圧設定動作期間Ｔsig）及び書込動作（書込動作期間Ｔwrt）が、例えば図２１に示すように、ＲＧＢの各色のカラー表示データごとに一連の動作として連続的に実行されるとともに、ＲＧＢの各色で相互に重ならないタイミング（異なるタイミング）で順次実行される。
【０１１５】
具体的には、例えば図１１に示すように、まず、ｉ行目の表示画素ＰＩＸ（サブ画素ＰＸｒ、ＰＸｇ、ＰＸｂ）に接続された電源電圧ラインＬｖに対して、電源ドライバ１３０から書込動作レベルである低電位の電源電圧Ｖcc（＝Ｖccw）を印加するとともに、選択ドライバ１２０から当該ｉ行目の選択ラインＬｓに選択レベル（ハイレベル）の選択信号Ｓselを印加して、ｉ行目の表示画素ＰＩＸを選択状態に設定する（選択期間Ｔsel(i)）。
【０１１６】
そして、この選択期間Ｔsel(i)においては、例えば図２１に示すように、ＲＧＢＲＧＢ・・・の順でシリアルデータとしてデータドライバ１４０に供給されるカラー表示データを、シフトレジスタ・データレジスタ部１４１を介して順次取り込み、上記選択期間Ｔsel(i)内の階調電圧設定動作期間Ｔsig(R)において、ＲＧＢ３色のうち赤（Ｒ）色のカラー表示データが階調電圧生成部１４２に転送されて（Ｒ表示データ取込動作）、同期信号ＣＬＫの立ち上がりタイミングでγカーブ生成ラダー回路１４２−１に印加される最大輝度基準電圧Ｖmax(R)及び最小輝度基準電圧Ｖs(R)に基づいて、ガンマ補正曲線の特性が赤色の有機ＥＬ素子ＯＬＥＤの電気光学特性に対応するように規定され、当該ガンマ補正曲線を用いてカラー表示データがデジタル−アナログ変換されて、アナログ信号電圧からなるガンマ補正された階調電圧Ｖpix(r)がデマルチプレクサ１４３に出力される（Ｒ階調電圧生成動作）。
【０１１７】
デマルチプレクサ１４３に入力された赤（Ｒ）色の階調電圧Ｖpix(r)は、階調電圧設定動作期間Ｔsig(R)終了後の書込動作期間Ｔwrt(R)において、ＲＧＢ切換制御信号Ｓ１、Ｓ２に基づいて、赤（Ｒ）色のサブ画素ＰＸｒが接続されたデータラインＬdrに出力される。ここで、赤（Ｒ）色のカラー表示データに応じた階調電圧Ｖpix(r)を生成し、データラインＬdrに出力する動作においては、ＲＧＢ切換制御信号Ｓ１、Ｓ２の信号レベルがともにハイレベル（Ｈ、Ｈ）に設定されている。
【０１１８】
これにより、上述した第１の実施形態（図１４参照）と同様に、選択状態に設定された表示画素ＰＩＸのうち、赤（Ｒ）色のサブ画素ＰＸｒ（画素駆動回路ＤＣ）のトランジスタＴｒ１３のソース端子（接点Ｎ１２）に、階調電圧Ｖpix(r)が印加されて、トランジスタＴｒ１３のゲート−ソース間（キャパシタＣｓの両端）に、当該階調電圧Ｖpix(r)に応じた電圧Ｖgsが書き込み設定される（Ｒ書込動作）。
【０１１９】
次いで、上記赤（Ｒ）色のカラー表示データに応じた階調電圧電Ｖpix(r)を生成して表示画素ＰＩＸ（サブ画素ＰＸｒ）に書き込む一連の動作（階調電圧設定動作期間Ｔsig(R)及び書込動作期間Ｔwrt(R)）の終了後、階調電圧設定動作期間Ｔsig(G)において、緑（Ｇ）色のカラー表示データを取り込んで上記と同様に階調電圧Ｖpix(g)を生成する（Ｇ表示データ取込動作、Ｇ階調電圧生成動作）。
【０１２０】
このとき、緑（Ｇ）色のカラー表示データがシフトレジスタ・データレジスタ部１４１を介して転送されるタイミングに同期して、γカーブ生成ラダー回路１４２−１に最大輝度基準電圧Ｖmax(G)及び最小輝度基準電圧Ｖs(G)を印加することにより、ガンマ補正曲線の特性が緑色の有機ＥＬ素子ＯＬＥＤの電気光学特性に対応するように規定され、当該ガンマ補正曲線を用いてカラー表示データをデジタル−アナログ変換してガンマ補正された階調電圧Ｖpix(g)が生成される。
【０１２１】
γカーブ生成ラダー回路１４２−１により生成された階調電圧Ｖpix(g)は、階調電圧設定動作期間Ｔsig(G)終了後の書込動作期間Ｔwrt(G)において、デマルチプレクサ１４３に入力されるＲＧＢ切換制御信号Ｓ１、Ｓ２に基づいて、緑（Ｇ）色のサブ画素ＰＸｇが接続されたデータラインＬdgに出力される。ここで、緑（Ｇ）色のカラー表示データに応じた階調電圧Ｖpix(g)を生成し、データラインＬdgに出力する動作においては、ＲＧＢ切換制御信号Ｓ１、Ｓ２の信号レベルが各々ハイレベル（Ｈ）、ローレベル（Ｌ）に設定されている。これにより、緑（Ｇ）色のサブ画素ＰＸｇに階調電圧Ｖpix(g)に応じた電圧Ｖgsが書き込み設定される（Ｇ書込動作）。
【０１２２】
次いで、上記青（Ｂ）色のカラー表示データについても同様に、階調電圧設定動作期間Ｔsig(B)に青（Ｂ）色のカラー表示データを取り込んで階調電圧Ｖpix(b)を生成し（Ｂ表示データ取込動作、Ｂ階調電圧生成動作）、書込動作期間Ｔwrt(B)にデータラインＬdbを介して青（Ｂ）色のサブ画素ＰＸｂに当該階調電圧Ｖpix(b)に応じた電圧Ｖgsを書き込む（Ｂ書込動作）。
【０１２３】
このとき、青（Ｂ）色のカラー表示データがシフトレジスタ・データレジスタ部１４１を介して転送されるタイミングに同期して、γカーブ生成ラダー回路１４２−１に最大輝度基準電圧Ｖmax(B)及び最小輝度基準電圧Ｖs(B)を印加することにより、ガンマ補正曲線の特性が青色の有機ＥＬ素子ＯＬＥＤの電気光学特性に対応するように規定され、当該ガンマ補正曲線を用いてカラー表示データをデジタル−アナログ変換してガンマ補正された階調電圧Ｖpix(b)が生成される。ここで、青（Ｂ）色のカラー表示データに応じた階調電圧Ｖpix(b)を生成し、データラインＬdbに出力する動作においては、ＲＧＢ切換制御信号Ｓ１、Ｓ２の信号レベルはともにローレベル（Ｌ、Ｌ）に設定されている。
【０１２４】
このように、本実施形態においては、各行（ｉ）の選択期間Ｔsel(i)中に、シリアルデータとして供給される例えばＲＧＢ各色のカラー表示データについて、階調電圧設定動作及び書込動作を一連の動作として、相互に異なるタイミングで（時間的に重ならないように）Ｒ、Ｇ、Ｂの順に順次実行する。すなわち、カラー表示データの取込動作と略同時に、当該カラー表示データに対応してガンマ補正された階調電圧Ｖpixが生成され、選択状態にされた行の各表示画素ＰＩＸ（サブ画素ＰＸｒ、ＰＸｇ、ＰＸｂ）に、ＲＧＢＲＧＢＲ・・・の順で書き込む動作が繰り返し実行される。
【０１２５】
そして、表示領域１１０に設定された任意のグループの最終行（ｎ／２行又はｎ行）の表示画素ＰＩＸについて、カラー表示データに応じた階調電圧設定動作及び書込動作を実行した後、図１１に示すように、当該グループに含まれる各行の選択ラインＬｓに非選択レベル（ローレベル）の選択信号Ｓselを印加した状態で、各行の表示画素ＰＩＸ（サブ画素ＰＸｒ、ＰＸｇ、ＰＸｂ）に接続された電源電圧ラインＬｖに、電源ドライバ１３０から発光動作レベルである高電位の電源電圧Ｖcc（＝Ｖcce）を印加する。
【０１２６】
これにより、電源電圧ラインＬｖから各表示画素ＰＩＸ（画素駆動回路ＤＣ）のトランジスタＴｒ１３を介して有機ＥＬ素子ＯＬＥＤに、カラー表示データ（各色の階調電圧Ｖpix(r)、Ｖpix(g)、Ｖpix(b)）に応じた電流値を有する発光駆動電流Ｉem（トランジスタＴｒ１３のドレイン・ソース間電流Ｉds）が流れ、所望の輝度階調で発光動作する。
【０１２７】
したがって、上述したような回路構成を有するデータドライバ（表示駆動装置）１４０を適用した表示装置によれば、ＲＧＢ各色のカラー表示データ（輝度階調値）に応じた階調電圧Ｖpix（Ｖpix(r)、Ｖpix(g)、Ｖpix(b)）が順次生成され、ＲＧＢ各色の表示画素ＰＩＸ（サブ画素ＰＸｒ、ＰＸｇ、ＰＸｂ）が接続された各列のデータラインＬｄ（Ｌdr、Ｌdg、Ｌdb）に順次印加されるため、選択期間Ｔsel中に設定される各色の書込動作期間Ｔwrtが比較的短くなる場合があるものの、ラッチ回路１４４を省略することができるので、表示装置の回路構成の小型化に寄与することができる。
【０１２８】
ここで、第１の実施形態においても説明したように、データドライバ（表示駆動装置）１４０において生成される階調信号（階調電圧Ｖpix）は、電圧信号であるので、書込動作期間にトランジスタＴｒ１３に流れるドレイン・ソース間電流Ｉdsの電流値が微小であっても当該電流Ｉdsに応じたゲート・ソース間電圧Ｖgsを速やかに設定することができ、選択期間Ｔsel内の比較的短い時間に、ＲＧＢ各色のカラー表示データの取り込み、階調電圧Ｖpixの生成及び書込の各動作を実行することができる。
【０１２９】
なお、本実施形態においては、上述した第１の実施形態と同様に、γカーブ生成ラダー回路１４２−１に備えられた単一のガンマ特性（補正特性）を、ＲＧＢ各色に対応して切り換え設定される最大輝度基準電圧Ｖmax(R)、Ｖmax(G)、Ｖmax(B)及び最小輝度基準電圧Ｖs(R)、Ｖs(G)、Ｖs(B)に基づいて、各色の有機ＥＬ素子ＯＬＥＤの電気光学特性に対応させるように規定する場合について示したが、本発明はこれに限定されるものではなく、上述した第２の実施形態に示したように、ガンマ補正曲線の特性を最大輝度基準電圧Ｖmax(R)、Ｖmax(G)、Ｖmax(B)又は最小輝度基準電圧Ｖs(R)、Ｖs(G)、Ｖs(B)のいずれか一方のみに基づいて規定するものであってもよい。
【０１３０】
＜本発明の適用例＞
次に、上述した表示装置において、表示領域１１０に配列される各表示画素ＰＩＸの特性変化（例えば画素駆動回路ＤＣを形成するトランジスタＴｒ１３のしきい値電圧Ｖthの経時変化等）の影響を補償して表示画質を良好に保持することができるようにした構成を備えた場合について説明する。
【０１３１】
上述した実施形態に示した表示画素ＰＩＸにおいては、画素駆動回路ＤＣに設けられる駆動トランジスタであるトランジスタＴｒ１３と発光素子である有機ＥＬ素子ＯＬＥＤとが、電源電圧ラインＬｖに印加される所定の電源電圧Ｖccと基準電圧Ｖss（＝Ｖgnd）との間に直列に接続されたソースフォロワ型の回路構成を有し、トランジスタＴｒ１３のゲート・ソース間電圧Ｖgsに基づいて有機ＥＬ素子ＯＬＥＤに流れる発光電流Ｉemの電流値が規定される。ここで、トランジスタＴｒ１３に適用される薄膜トランジスタは、駆動履歴に応じてそのしきい値電圧Ｖthが上昇することが知られており、また、有機ＥＬ素子ＯＬＥＤにおいても、駆動履歴に応じて導通抵抗が上昇することが知られている。
【０１３２】
図２２は、表示画素の書込動作時における駆動トランジスタの動作特性を示す特性図であり、図２３は、有機ＥＬ素子の駆動電流と駆動電圧の関係を示す特性図である。図２２において、実線ＳＰｗは、駆動トランジスタ（トランジスタＴｒ１３）としてｎチャネル型の薄膜トランジスタを適用し、かつ、図３に示した表示画素ＰＩＸ（画素駆動回路ＤＣ）を選択状態に設定してトランジスタＴｒ１１をオン動作させ、駆動トランジスタ（トランジスタＴｒ１３）をダイオード接続した場合における、ドレイン・ソース間電圧Ｖdsとドレイン・ソース間電流Ｉdsの初期状態における関係を示す特性線である。また、破線ＳＰw2は、駆動トランジスタの駆動履歴に伴って特性変化（しきい値電圧Ｖthの変化）が生じたときの特性線の一例を示す。なお、特性線ＳＰｗ上の点ＰＭｗは駆動トランジスタの動作点を示す。図２３において、実線ＳＰｅは、有機ＥＬ素子ＯＬＥＤの初期状態におけるアノード−カソード間に印加される駆動電圧Ｖoledとアノード−カソード間に流れる駆動電流Ｉoledの関係を示す特性線である。また、一点鎖線ＳＰe2は、駆動履歴に伴って特性変化（導通抵抗の変化）が生じたときの特性線の一例を示す。
【０１３３】
図２２に示すように、駆動トランジスタの駆動履歴に伴う特性変化は、初期の特性線（実線ＳＰｗ）をほぼ平行移動した形（破線ＳＰw2）に変化する。このため、カラー表示データの輝度階調値に応じた駆動電流（ドレイン・ソース間電流Ｉds）を得るために必要な書込電圧Ｖdataの値は、しきい値電圧Ｖthの変化量ΔＶth分だけ増加させた電圧値に設定しなければならない。
また、図２３に示すように、有機ＥＬ素子ＯＬＥＤの駆動履歴に伴う高抵抗化による特性変動は、初期の特性線（実線ＳＰｅ）に対して、概ね、ＯＬＥＤ駆動電圧Ｖoledに対するＯＬＥＤ駆動電流Ｉoledの増加率が減少する方向に変化する。すなわち、有機ＥＬ素子ＯＬＥＤがカラー表示データ（輝度階調値）に応じた輝度階調で発光するために必要なＯＬＥＤ駆動電流Ｉoledを流すためＯＬＥＤ駆動電圧Ｖoledは、特性線ＳＰe2−特性線ＳＰｅ分だけ増加する。この増加分は、図２３中のΔＶoled maxに示すように、駆動電流Ｉoledが最大値（最大駆動電流）Ｉoled(max)となる最高階調時において最大となる。
【０１３４】
ここで、有機ＥＬ素子の素子特性と電圧−電流特性との関係について検証する。
図２４は、表示画素の発光動作時における駆動トランジスタの動作特性を示す特性図であり、図２５は、有機ＥＬ素子の負荷特性を示す特性図である。
上述したように、有機ＥＬ素子ＯＬＥＤは駆動履歴に伴って高抵抗化し、ＯＬＥＤ駆動電圧Ｖoledに対するＯＬＥＤ駆動電流Ｉoledの増加率が減少する方向に変化する。すなわち、図２４に示す有機ＥＬ素子ＯＬＥＤの負荷線ＳＰｅの傾きが減少する方向に変化する。図２５はこの有機ＥＬ素子ＯＬＥＤの負荷線ＳＰｅの駆動履歴に伴う変化を示したものであり、負荷線はＳＰｅ→ＳＰe2→ＳＰe3の変化を生じる。これにより結果として、駆動トランジスタ（トランジスタＴｒ１３）の動作点は、駆動履歴に伴って駆動トランジスタの特性線ＳＰｈ上をＰＭｅ→ＰＭe2→ＰＭe3方向に移動する。
【０１３５】
このとき、駆動トランジスタの動作点が特性線ＳＰｈ上の飽和領域内にある間（ＰＭｅ→ＰＭe2）は、ＯＬＥＤ駆動電流Ｉoledは書込動作時の期待値電流の値を維持するが、不飽和領域に入ってしまうと（ＰＭe3）、ＯＬＥＤ駆動電流Ｉoledは書込動作時の期待値電流より減少してしまい、つまり、有機ＥＬ素子ＯＬＥＤに流れるＯＬＥＤ駆動電流Ｉoledの電流値が書込動作時の期待値電流の電流値との差が明らかに異なってしまうため表示特性が変わってしまう。図２５においてピンチオフ点Ｐｏは不飽和領域と飽和領域の境界にあり、すなわち発光時の動作点ＰＭｅとピンチオフ点Ｐｏ間の電位差は、有機ＥＬの高抵抗化に対し発光時のＯＬＥＤ駆動電流Ｉoledを維持するための補償マージンとなる。言い換えると、各Ｉoledレベルにおいてピンチオフ点の軌跡ＳＰｏと有機ＥＬ素子の負荷線ＳＰｅに挟まれた、駆動トランジスタの特性線ＳＰｈ上電位差が補償マージンとなる。図２５に示すように、この補償マージンはＯＬＥＤ駆動電流Ｉoledの値の増大に伴って減少し、電源電圧ラインＬｖと有機ＥＬ素子ＯＬＥＤのカソード端子ＴＭｃ間に印加された電圧Ｖcce−Ｖssの増加に伴い増大する。
【０１３６】
次いで、トランジスタの素子特性と電圧−電流特性との関係について検証する。
上述した表示画素ＰＩＸ（画素駆動回路ＤＣ）に適用されるトランジスタＴｒ１３を用いた電圧階調制御においては、予め設定されたトランジスタのドレイン・ソース間電圧Ｖdsとドレイン・ソース間電流Ｉdsの初期特性（特性線ＳＰｗ）により書込電圧Ｖdataを設定する場合を想定しているが、図２２、図２３に示したように、駆動履歴に応じてしきい値電圧Ｖthが増大することにより、有機ＥＬ素子ＯＬＥＤに供給される発光駆動電流（ＯＬＥＤ駆動電流Ｉoled）の電流値が表示データ（書込電圧）に対応しなくなり、適切な輝度階調で発光動作させることができなくなる。特に、画素駆動回路ＤＣに適用されるトランジスタとしてアモルファスシリコントランジスタを適用した場合、素子特性の変動が顕著に生じることが知られている。
【０１３７】
具体的には、例えばｎチャネル型アモルファスシリコントランジスタにおける電圧−電流特性（図２２、図２３）に示すドレイン・ソース間電圧Ｖdsとドレイン・ソース間電流Ｉdsとの関係に相当する）は、当該アモルファスシリコントランジスタの駆動履歴や経時変化に伴うゲート絶縁膜へのキャリヤトラップによるゲート電界の相殺に起因したしきい値電圧Ｖthの増大（初期状態：特性線ＳＰｗから高電圧側の特性線ＳＰw2へのシフト）が生じる。これによりアモルファスシリコントランジスタに印加したドレイン・ソース間電圧Ｖdsを一定とした場合に、ドレイン・ソース間電流Ｉdsは減少し、発光素子（有機ＥＬ素子ＯＬＥＤ）の発光輝度が低下する。
【０１３８】
このようなトランジスタの素子特性の変動においては、主にしきい値電圧Ｖthが増大し、アモルファスシリコントランジスタの電圧−電流特性線（Ｖ−Ｉ特性線）は、図２２、図２３に示したように、初期状態におけるＶ−Ｉ特性線ＳＰｗをほぼ平行移動した形となるため、変動後のＶ−Ｉ特性線ＳＰw2は、初期状態におけるＶ−Ｉ特性線ＳＰｗのドレイン・ソース間電圧Ｖdsに対して、しきい値電圧Ｖthの変化量ΔＶthに対応する一定の電圧（後述するオフセット電圧Ｖofstに相当する）を一義的に加算した場合（すなわち、Ｖ−Ｉ特性線ＳＰｗをΔＶthだけ平行移動させた場合）の電圧−電流特性に略一致するものと解釈することができる。
【０１３９】
これは、換言すると、表示画素（画素回路部ＤＣｘ）へのカラー表示データの書込動作において、当該表示画素に設けられた駆動トランジスタ（トランジスタＴｒ１３）の素子特性の変化量（しきい値電圧Ｖthの変化量ΔＶth）に対応する一定の電圧（オフセット電圧Ｖofst）を加算して補正した書込電圧（後述する補正階調電圧ＶＲpixに相当する）を、駆動トランジスタのソース端子（接点Ｎ１２）に印加することにより、当該駆動トランジスタのしきい値電圧Ｖthの変動に起因する電圧−電流特性のシフト分を補償して、カラー表示データに応じた電流値を有する発光駆動電流Ｉemを有機ＥＬ素子ＯＬＥＤに流すことができ、所望の輝度階調で発光動作させることができることを意味する。
【０１４０】
＜第１の適用例＞
以下に、上述した表示画素における特性変動の影響を補償することができる表示装置の適用例について説明する。
＜表示装置・データドライバ＞
図２６は、本発明に係る表示装置の第１の適用例の表示パネル及びデータドライバを示す概略構成図であり、図２７は、本適用例に係るデータドライバの要部構成図である。ここでは、本適用例に特有の構成を有するデータドライバについて詳しく説明し、上述した第１の実施形態（図１〜図５参照）又は第２の実施形態（図１８参照）と同等の装置構成についてはその説明を簡略化又は省略する。
【０１４１】
本適用例に係る表示装置は、例えば図２６に示すように、上述した第１又は第２の実施形態に示したデータドライバ（表示駆動装置）１４０において、シフトレジスタ・データレジスタ部１４１、階調電圧生成部１４２、デマルチプレクサ１４３、ラッチ回路１４４に加え、特性変化補償処理部（特性変化補償回路）１４５を備えている。ここで、特性変化補償処理部１４５は、図２７に示すように、電圧変換部（特性変化検出部）１４５−１と、電圧加減演算部（補正階調信号生成部）１４５−２と、接続経路切換スイッチ（以下、「切換スイッチ」と略記する）ＳＷ１１〜ＳＷ１３と、を備え、これらの構成が、ＲＧＢ各色の表示画素ＰＩＸ（サブ画素ＰＸｒ、ＰＸｇ、ＰＸｂ）が接続された各列のデータラインＬdr、Ｌdg、Ｌdbごとに一組ずつ設けられ、本適用例に係る表示装置１００においては、ｍ組設けられている。
【０１４２】
上述した実施形態に示したように、階調電圧生成部１４２、デマルチプレクサ１４３、ラッチ回路１４４においては、表示信号生成回路１６０から順次供給され、シフトレジスタ・データレジスタ部１４１を介して取り込まれたＲＧＢ各色の表示画素ＰＩＸ（サブ画素ＰＸｒ、ＰＸｇ、ＰＸｂ）ごとのカラー表示データに応じた階調電圧Ｖpix（Ｖpix(r)、Ｖpix(g)、Ｖpix(b)）を時分割的に生成し、ＲＧＢの各色に対応して分配し、保持する。
【０１４３】
ここで、階調電圧生成部１４２により生成される階調電圧Ｖpix（Ｖpix(r)、Ｖpix(g)、Ｖpix(b)）は、ＲＧＢ各色の表示画素ＰＩＸ（画素駆動回路ＤＣ）に設けられた発光駆動用のトランジスタＴｒ１３のしきい値電圧Ｖthに変動が生じていない初期状態において、有機ＥＬ素子ＯＬＥＤをカラー表示データに応じた輝度階調で発光動作或いは無発光動作させることができる電圧値に設定されている。すなわち、トランジスタＴｒ１３が上述したＶ−Ｉ特性線ＳＰｗの状態において、トランジスタＴｒ１３にカラー表示データに応じた輝度階調の電流が流れるような電源電圧ラインＬｖとデータラインＬｄとの間の電位差が生じるように、階調電圧Ｖpix（Ｖpix(r)、Ｖpix(g)、Ｖpix(b)）の電圧値が設定されている。
【０１４４】
特性変化補償処理部１４５は、上述した階調電圧生成部１４２、デマルチプレクサ１４３、ラッチ回路１４４におけるカラー表示データの取り込み、階調電圧Ｖpix（Ｖpix(r)、Ｖpix(g)、Ｖpix(b)）の生成、分配、保持の各動作に係る階調電圧設定動作期間Ｔsig中に並行して、書込動作が実行される各表示画素ＰＩＸ（サブ画素ＰＸｒ、ＰＸｇ、ＰＸｂ）の特性変化の状態（駆動トランジスタのしきい値電圧の変化量）を検出し、各表示画素ＰＩＸへの書込動作時に、上記階調電圧Ｖpix（Ｖpix(r)、Ｖpix(g)、Ｖpix(b)）を補正して補正階調電圧ＶＲpix（ＶＲpix(r)、ＶＲpix(g)、ＶＲpix(b)）を生成し、各列のデータラインＬｄ（Ｌdr、Ｌdg、Ｌdb）を介して各色の表示画素ＰＩＸ（サブ画素ＰＸｒ、ＰＸｇ、ＰＸｂ）に供給する。
【０１４５】
電圧変換部１４５−１は、ＲＧＢ各色（各列）のデータラインＬｄ（Ｌdr、Ｌdg、Ｌdb）に所定のプリチャージ電圧Ｖpreを印加して、所定の過渡応答期間（自然緩和期間）Ｔtrsが経過した後の当該データラインＬｄの電位（参照電圧Ｖref（Ｖref(r)、Ｖref(g)、Ｖref(b)）を読み取り、各表示画素ＰＩＸ（画素駆動回路ＤＣ）のトランジスタＴｒ１３の変動後のしきい値電圧Ｖthを推定するための係数ａ（ａは任意の数）と当該参照電圧Ｖrefとの積である第１の補償電圧成分ａ・Ｖref（ａ・Ｖref(r)、ａ・Ｖref(g)、ａ・Ｖref(b)）を生成して、後述する電圧加減演算部１４５−２に出力する。
【０１４６】
ここで、画素駆動回路ＤＣが図３に示したような回路構成を有する場合においては、書込動作時にデータラインＬｄに流れる電流を、データラインＬｄからデータドライバ１４０方向に引き込むように設定されるので、上記第１の補償電圧成分ａ・Ｖrefも電源電圧ラインＬｖから、トランジスタＴｒ１３のドレイン−ソース間、トランジスタＴｒ１２のドレイン−ソース間、データラインＬｄを介して電流が流れるような電圧（ａ・Ｖref＜Ｖccw−Ｖth１−Ｖth２；Ｖth１、Ｖth２は、それぞれトランジスタＴｒ１３、トランジスタＴｒ１２のしきい値電圧に相当する）になるように設定される。
【０１４７】
電圧加減演算部（演算回路部）１４５−２は、階調電圧生成部１４２において生成されたＲＧＢ各色の階調電圧Ｖpix（Ｖpix(r)、Ｖpix(g)、Ｖpix(b)）と、電圧変換部１４５−１において生成されたＲＧＢ各色の第１の補償電圧成分ａ・Ｖref（ａ・Ｖref(r)、ａ・Ｖref(g)、ａ・Ｖref(b)）と、トランジスタＴｒ１３のしきい値電圧Ｖthの変動特性等に基づいて予め設定された第２の補償電圧成分Ｖofstとをアナログ的に加減算して、その演算結果となる電圧成分を、ＲＧＢ各色の補正階調電圧（補正階調信号）ＶＲpix（ＶＲpix(r)、ＶＲpix(g)、ＶＲpix(b)）として各列のデータラインＬｄに出力する。具体的には、電圧加減演算部１４５−２は、後述する書込動作において、下記（１１）式を満たすように補正階調電圧ＶＲpixを設定する。
ＶＲpix＝ａ・Ｖref−Ｖpix＋Ｖofst・・・（１１）
【０１４８】
切換スイッチＳＷ１１〜ＳＷ１３は、いずれもシステムコントローラ１５０から供給されるデータ制御信号に基づいて、所定のタイミングでオン動作又はオフ動作する。切換スイッチＳＷ１１は、データラインＬｄと電圧加減演算部１４５−２との間に接続され、電圧加減演算部１４５−２からデータラインＬｄへの上記補正階調電圧ＶＲpixの印加タイミングを制御する。また、切換スイッチＳＷ１２は、データラインＬｄと電圧変換部１４５−１との間に接続され、電圧変換部１４５−１によるデータラインＬｄの電位（参照電圧Ｖref）の読取りタイミングを制御する。また、切換スイッチＳＷ１３は、データラインＬｄとプリチャージ電圧Ｖpreの印加端子（プリチャージ電圧源）との間に接続され、データラインＬｄへのプリチャージ電圧Ｖpreの印加タイミングを制御する。ここで、切換スイッチＳＷ１１〜ＳＷ１３は、互いに抵抗及び容量が等しいことが好ましい。
【０１４９】
この適用例において、システムコントローラ１５０は、第１の実施形態に示した機能に加え、データドライバ１４０にデータ制御信号を供給することにより、ＲＧＢ各色の表示画素ＰＩＸの特性変化（トランジスタＴｒ１３のしきい値電圧の変化量ΔＶth）に応じた補正階調電圧ＶＲpixを生成する、各表示画素ＰＩＸ（画素駆動回路ＤＣ）に対する一連の駆動制御動作（プリチャージ動作及び過渡応答期間経過後の参照電圧読取動作を有する特性変化検出動作）を実行させて、映像信号に基づく画像情報を表示領域１１０に表示させる制御を行う。
【０１５０】
＜表示装置の駆動方法＞
次に、本適用例に係る表示装置の駆動方法について説明する。
図２８は、本適用例に係る表示装置の駆動方法の一例を示すタイミングチャートであり、図２９は、本適用例に係る表示装置の駆動方法における選択期間中の各動作の一具体例を示すタイミングチャートである。ここでは、第１の実施形態に示した駆動方法（図１１）を適宜参照しながら説明する。
【０１５１】
本実施形態に係る表示装置１００の駆動制御動作は、例えば上述した第１の実施形態に示した駆動方法（図１１参照）において、例えば図２８、図２９に示すように、ｉ行目の表示画素ＰＩＸの選択期間Ｔselに実行される階調電圧設定動作（表示データ取込動作及び階調電圧生成動作が実行される階調電圧設定動作期間Ｔsig）に並行して、上記ｉ行目の表示画素ＰＩＸに対して、各列のデータラインＬｄを介して所定のプリチャージ電圧Ｖpreを印加するプリチャージ動作（プリチャージ期間Ｔpre）と、所定の過渡応答期間Ｔtrs経過後に各表示画素ＰＩＸの特性変化（トランジスタＴｒ１３の素子特性）に応じた参照電圧Ｖrefを読み取る参照電圧読取動作と、からなる一連の特性変化検出動作（図中、「Ｖth検出動作」と表記；特性変化検出動作期間Ｔdet≧Ｔpre＋Ｔtrs）を実行する。
【０１５２】
（特性変化検出動作）
図３０は、本適用例に係る表示装置におけるプリチャージ動作を示す概念図であり、図３１は、本適用例に係る表示装置における参照電圧読取動作を示す概念図である。
プリチャージ動作（プリチャージ期間Ｔpre）においては、図２９、図３０に示すように、ｉ行目の選択ラインＬｓに選択レベル（ハイレベル）の選択信号Ｓselを印加して、ｉ行目の表示画素ＰＩＸを選択状態に設定し、かつ、当該ｉ行目の電源電圧ラインＬｖ（ｉ行目が含まれるグループの全表示画素ＰＩＸに共通に接続された電源電圧ラインＬｖ）に書込動作レベルの電源電圧Ｖcc（＝Ｖccw）を印加した状態で、データドライバ１４０の特性変化補償処理部１４５において、切換スイッチＳＷ１１をオフ動作、切換スイッチＳＷ１２、ＳＷ１３をオン動作させることにより、各データラインＬｄに所定のプリチャージ電圧Ｖpreを印加して、ｉ行目の各表示画素ＰＩＸの画素駆動回路ＤＣのトランジスタ（駆動トランジスタ）Ｔｒ１３にそれぞれプリチャージ電圧Ｖpreに応じたドレイン・ソース間電流Ｉdsを流し、各トランジスタＴｒ１３のゲート−ソース間に上記ドレイン・ソース間電流Ｉdsに応じた電圧成分を保持させる（キャパシタＣｓにプリチャージ電圧Ｖpreに応じた電荷を蓄積させる）。
【０１５３】
ここで、表示画素ＰＩＸの画素駆動回路ＤＣに設けられたトランジスタＴｒ１３の素子特性の変動後のしきい値電圧Ｖthの最大値は、トランジスタＴｒ１３の初期時のしきい値電圧Ｖth0と、トランジスタＴｒ１３のしきい値電圧Ｖthの変化量ΔＶthの最大となる電圧ΔＶth_maxとの和となる。また、当該データラインＬｄに接続された表示画素ＰＩＸの画素駆動回路ＤＣに設けられたトランジスタＴｒ１２において、ドレイン・ソース間電圧Ｖdsの最大値は、初期時のドレイン・ソース間電圧Ｖds12と、トランジスタＴｒ１２の高抵抗化によるドレイン・ソース間電圧Ｖds12の変動値ΔＶds12の最大値ΔＶds12_maxとなる。
【０１５４】
そして、電源電圧ラインＬｖからデータラインＬｄまでの配線抵抗による電圧降下分をＶvdとすると、プリチャージ電圧Ｖpreの印加によって、電源電圧ラインＬｖ及びデータラインＬｄ間に印加される電圧と、トランジスタＴｒ１３のドレイン−ソース間及びトランジスタＴｒ１２のドレイン−ソース間に印加される電圧との関係は、下記の（１２）式を満たすように設定されている。
Ｖccw−Ｖpre≧Ｖth0＋ΔＶth_max＋Ｖds12＋ΔＶds12_max＋Ｖvd・・・（１２）
【０１５５】
ここで、図２９に示すように、選択ラインＬｓに出力される選択信号Ｓselは、特性変化検出動作期間Ｔdetにおいて正電圧のハイレベルとなるが、特性変化検出動作期間Ｔdet以外の間、ローレベルを負電位とすると、動作期間中にトランジスタＴｒ１２のゲート電極に印加される電圧は著しく正電圧に偏るわけではないので、ΔＶds12_maxはΔＶth_maxと比べて無視できるほど小さくすることができる。このような条件においては（１２）式は以下のように置き換えることができる。
Ｖccw−Ｖpre≧Ｖth0＋ΔＶth_max＋Ｖds12＋Ｖvd・・・（１３）
【０１５６】
これにより、トランジスタＴｒ１２及びトランジスタＴｒ１３には、電位差（Ｖccw−Ｖpre）が印加され、トランジスタＴｒ１３のゲート−ソース間（キャパシタＣｓの両端）に、プリチャージ電圧Ｖpreにしたがった電圧成分が印加される。このとき、トランジスタＴｒ１３のゲート−ソース間に印加される電圧成分は、トランジスタＴｒ１３の変動後のしきい値電圧以上の大きな電位差を有しているので、当該トランジスタＴｒ１３がオン動作して、この電圧成分に応じたプリチャージ電流Ｉpreが、トランジスタＴｒ１３のドレイン−ソース間に流れる。したがって、速やかにキャパシタＣｓの両端に当該プリチャージ電流Ｉpreに基づく電位差に対応する電荷が蓄積される（すなわち、キャパシタＣｓにプリチャージ電圧Ｖpreに応じた電圧成分が充電される）。
【０１５７】
また、図３０に示すような回路構成を有する画素駆動回路ＤＣにおいては、上述した実施形態に示した書込動作時と同様に、データラインＬｄからデータドライバ１４０方向にプリチャージ電流Ｉpreを引き込むことができるように、上記プリチャージ電圧Ｖpreは、電源ドライバ１３０から表示画素ＰＩＸに印加されている書込動作レベル（ローレベル）の電源電圧Ｖccwに対して、負電位となるように設定されている（Ｖpre＜Ｖccw≦０）。
【０１５８】
なお、このプリチャージ動作において、データラインＬｄを介してトランジスタＴｒ１３のソース端子に印加される信号が電流信号の場合、データラインＬｄに寄生する配線容量や配線抵抗、各表示画素ＰＩＸの画素駆動回路ＤＣに設けられた容量成分に起因して電位変化に遅延が生じる恐れがあるが、プリチャージ電圧Ｖpreは電圧信号であるので、プリチャージ期間Ｔpreの初期において速やかにチャージでき、急速にプリチャージ電圧Ｖpreに近似した後、プリチャージ期間Ｔpreの残りの時間内に徐々にプリチャージ電圧Ｖpreに収束するように変化する。
【０１５９】
また、このプリチャージ期間Ｔpreにおいては、有機ＥＬ素子ＯＬＥＤのアノード端子側の接点Ｎ１２に印加されるプリチャージ電圧Ｖpreの電圧値が、カソード端子ＴＭｃに印加される基準電圧Ｖssよりも低くなるように設定されており、かつ、書込動作レベルの電源電圧Ｖccwが基準電圧Ｖss以下に設定されているので、有機ＥＬ素子ＯＬＥＤが順バイアスが印加されないため、有機ＥＬ素子ＯＬＥＤには電流が流れず発光動作しない。
【０１６０】
次いで、図２９に示すように、プリチャージ動作直後に切換スイッチＳＷ１３をオフ動作させることにより、選択状態に設定されているｉ行目の表示画素ＰＩＸ（画素駆動回路ＤＣ）へのプリチャージ電圧Ｖpreの印加を停止し、所定の過渡応答期間Ｔtrsの経過後に各データラインＬｄの電位を読み取ることにより、上記トランジスタＴｒ１３のゲート−ソース間に保持されている（キャパシタＣｓに残留している）電圧成分に対応する参照電圧Ｖrefを取得する。
【０１６１】
ここで、データラインＬｄへのプリチャージ電圧Ｖpreの印加を停止した場合であっても、画素駆動回路ＤＣのトランジスタＴｒ１１、Ｔｒ１２はオン状態が保持されているので、キャパシタＣｓの他端側（接点Ｎ１２）はハイインピーダンス状態に設定され、一方、トランジスタＴｒ１３のゲート−ソース間（キャパシタＣｓの両端）には、上述したプリチャージ動作により当該トランジスタＴｒ１３の変動後のしきい値電圧（Ｖth0＋ΔＶth_max）以上の電位差が保持されているので、トランジスタＴｒ１３はオン状態を継続して、電源電圧ラインＬｖからトランジスタＴｒ１３を介して過渡電流Ｉrefが流れるとともに、トランジスタＴｒ１３のソース端子側（接点Ｎ１２；キャパシタＣｓの他端側）の電位がドレイン端子側（電源電圧ラインＬｖ側）の電位に近づくように徐々に上昇していく。これに伴って、トランジスタＴｒ１２を介して電気的に接続されているデータラインＬｄの電位も徐々に上昇する。
【０１６２】
この過渡応答期間Ｔtrsにおいては、キャパシタＣｓに蓄積された電荷の一部が放電されて、トランジスタＴｒ１３のゲート・ソース間電圧Ｖgsが低下することになるので、図２９に示すように、データラインＬｄの電位は、上記プリチャージ動作により印加されたプリチャージ電圧Ｖpreから、当該トランジスタＴｒ１３の変動後のしきい値電圧（Ｖth0＋ΔＶth）に収束する方向に変化し、仮に過渡応答期間Ｔtrsを充分長く時間に設定した場合には、電位差Ｖccw−Ｖ（ｔ）が、Ｖth0＋ΔＶthに収束するように変化する。ここで、Ｖ（ｔ）は、時間ｔにより変位するデータラインＬｄでの電位であって、プリチャージ期間Ｔpreの終了タイミング（又は、過渡応答期間Ｔtrsの開始タイミング）ｔ０では、プリチャージ電圧Ｖpreになっている。この過渡応答期間Ｔtrsを充分長い時間に設定すると、選択期間Ｔselが長くなり、表示特性、特に動画表示特性が著しく低下してしまう。
【０１６３】
そこで、本適用例においては、上記過渡応答期間Ｔtrsとして、トランジスタＴｒ１３のゲート・ソース間電圧Ｖgs（トランジスタＴｒ１３のソース端子側の電位）が、変動後のしきい値電圧（Ｖth0＋ΔＶth）に収束する時間よりも短く、かつ、所定の選択期間Ｔsel内で上述したプリチャージ期間Ｔpre及び後述する書込動作期間Ｔwrtとして十分な時間を確保することができる任意の時間に設定する。すなわち、過渡応答期間Ｔtrsの終了タイミング（図中、「参照電圧読取タイミングｔ１」と表記）は、トランジスタＴｒ１３のゲート・ソース間電圧Ｖgs（トランジスタＴｒ１３のソース端子側の電位）が変化途上にある特定の時間に設定される。
【０１６４】
なお、この過渡応答期間Ｔtrsにおいても、有機ＥＬ素子ＯＬＥＤのアノード端子側の接点Ｎ１２に印加される電圧値が、カソード端子ＴＭｃに印加される基準電圧Ｖssよりも低くなるように設定されているので、有機ＥＬ素子ＯＬＥＤは依然として順バイアス状態ではないので、有機ＥＬ素子ＯＬＥＤは発光動作しない。
【０１６５】
そして、上記過渡応答期間Ｔtrs経過後の参照電圧読取動作においては、図２９、図３１に示すように、過渡応答期間Ｔtrsの終了タイミングである参照電圧読取タイミングｔ１において、切換スイッチＳＷ１２を介してデータラインＬｄに接続された電圧変換部１４５−１により、当該データラインＬｄの電位（参照電圧Ｖref）を読み取る。
【０１６６】
ここで、上述したように、データラインＬｄは、オン状態に設定されたトランジスタＴｒ１２を介して、トランジスタＴｒ１３のソース端子（接点Ｎ１２）側に接続された状態にあり、電圧変換部１４３により読み取られたデータラインＬｄの電位（参照電圧Ｖref）は、後述するように、時間ｔの関数であるとともに、トランジスタＴｒ１３のゲート・ソース間電圧Ｖgsに対応する電圧に依存する。
【０１６７】
ところで、詳しくは後述するが、プリチャージ動作後（過渡応答期間Ｔtrs）のトランジスタＴｒ１３のゲート・ソース間電圧Ｖgsの挙動は、トランジスタＴｒ１３のしきい値電圧Ｖth、又は、変動後のしきい値電圧（Ｖth0＋ΔＶth）に応じて異なるので、トランジスタＴｒ１３のゲート・ソース間電圧Ｖgsの変化に基づいて、当該トランジスタＴｒ１３のしきい値電圧Ｖth、又は、変動後のしきい値電圧（Ｖth0＋ΔＶth）を略一義的に決定することができる。ここで、トランジスタＴｒ１３のゲート・ソース間電圧Ｖgsは、しきい値電圧Ｖthの変動が進行するほど（すなわち、変化量ΔＶthが大きくなるほど）、その変化の傾きが小さくなる。
【０１６８】
これは、換言すると、一定の過渡応答期間Ｔtrs経過後のタイミング（参照電圧読取タイミングｔ１）で、トランジスタＴｒ１３のゲート・ソース間電圧Ｖgs（t1）に対応する電圧である参照電圧Ｖref（t1）を読み取った場合、しきい値電圧Ｖthの変動が進行している（変化量ΔＶthが大きい）トランジスタＴｒ１３ほど、一定の過渡応答期間Ｔtrs経過後のタイミングｔ１で読み取った参照電圧Ｖref（t1）の電位はより低くなることを意味し、このことから、過渡応答期間Ｔtrs経過後のタイミングｔ１で読み取った参照電圧Ｖref（t1）に基づいて、トランジスタＴｒ１３のしきい値電圧Ｖth、又は、変動後のしきい値電圧（Ｖth0＋ΔＶth）を決定又は推測することができることを意味する。
【０１６９】
また、電圧変換部１４５−１により読み取られる参照電圧Ｖrefは、下記の（１４）式のように表すことができる。
Ｖccw−Ｖref（ｔ）＝Ｖgs＋Ｖrttl・・・（１４）
ここで、Ｖgsは、過渡応答期間Ｔtrs経過後の参照電圧読取タイミングにおけるトランジスタＴｒ１３のゲート・ソース間電圧（＝トランジスタＴｒ１３のドレイン・ソース間電圧）であり、ＶrttlはトランジスタＴｒ１２のソース・ドレイン抵抗による電圧降下Ｖds12及び配線抵抗Ｖvdの和である。
【０１７０】
つまり、過渡応答期間Ｔtrsの開始タイミングｔ０から過渡応答期間Ｔtrsの終了タイミングｔ１までの間のデータラインＬｄでの電位の変調（Ｖref（t1）−Ｖref（t0））は、過渡応答期間Ｔtrsの開始タイミングｔ０から過渡応答期間Ｔtrsの終了タイミングｔ１までの間のトランジスタＴｒ１３のゲート・ソース間電圧の変調｛Ｖgs（t1）−Ｖgs（t0）｝に依存する。また、後述するように、トランジスタＴｒ１３のしきい値電圧Ｖthは、この変化量によって一義的に定義することができる。
このようにして読み取られた参照電圧Ｖrefは、電圧変換部１４５−１において、例えばバッファを介して電圧レベルを保持した後、反転増幅して電圧レベルを変換し、第１の補償電圧成分ａ・Ｖrefとして電圧加減演算部１４５−２に出力される。
【０１７１】
（書込動作）
図３２は、本適用例に係る表示装置における書込動作を示す概念図である。
上述したように、選択状態に設定された行の各表示画素ＰＩＸについて、画素駆動回路ＤＣに設けられた発光駆動用のトランジスタＴｒ１３の変動後のしきい値電圧（Ｖth0＋ΔＶth）に対応する参照電圧Ｖrefを読み取った後、引き続き表示データの書込動作を実行する。
【０１７２】
上述した特性変化検出動作（特性変化検出動作期間Ｔdet）終了後の書込動作期間Ｔwrtにおいては、図２９、図３２に示すように、まず、切換スイッチＳＷ１１をオン動作させ、切換スイッチＳＷ１２、ＳＷ１３をオフ動作させることにより、データラインＬｄと電圧加減演算部１４５−２を電気的に接続するとともに、電源電圧ラインＬｖに書込動作レベルの電源電圧Ｖccwが引き続き印加される。この状態で、各表示画素ＰＩＸごとのカラー表示データに応じて生成される階調電圧Ｖpixを、参照電圧読取動作により読み取られた参照電圧Ｖrefに基づいて設定された補償電圧にしたがって補正して、表示画素ＰＩＸの変動後の動作特性（トランジスタＴｒ１３の変動後の素子特性；しきい値電圧Ｖth）に対応した補正階調電圧ＶＲpixを生成し（補正階調電圧生成動作）、各列のデータラインＬｄを介して選択状態に設定されているｉ行目の各表示画素ＰＩＸに印加して補正階調電圧ＶＲpixに応じた電圧成分を保持させる（書込動作）。
【０１７３】
補正階調電圧生成動作においては、カラー表示データに含まれる輝度階調値に基づいて階調電圧生成部１４２により生成され、デマルチプレクサ１４３を介してラッチ回路１４４に並列的に保持されたＲＧＢ各色の階調電圧Ｖpix（Ｖpix(r)、Ｖpix(g)、Ｖpix(b)）が電圧加減演算部１４５−２に出力され、上述した特性変化検出動作（参照電圧読取動作）において電圧変換部１４５−１により取得された参照電圧Ｖref（Ｖref(r)、Ｖref(g)、Ｖref(b)）に基づいて、階調電圧ＶpixをトランジスタＴｒ１３のしきい値電圧Ｖthの変動に応じた電圧値を有するように補正する。
【０１７４】
具体的には、電圧加減演算部１４５−２において、上記ラッチ回路１４４から出力される階調電圧Ｖpixと、電圧変換部１４５−１から出力される第１の補償電圧成分ａ・Ｖrefと、トランジスタＴｒ１３のしきい値電圧Ｖthの変動特性（しきい値電圧Ｖthと参照電圧Ｖrefとの関係）等に基づいて求められる第２の補償電圧成分Ｖofstとを、上記（１１）式を満たすように加減算して補正階調電圧ＶＲpixを生成する。ここで、係数ａは正の値（ａ＞０）であり、第２の補償電圧成分Ｖofstは、トランジスタＴｒ１３の設計に依存した正の値（Ｖofst＞０）である。
【０１７５】
また、階調電圧Ｖpixは、カラー表示データの階調が高くなるほど電位が高くなる正電圧（Ｖpix＞０）であり、補正階調電圧ＶＲpixは、電源ドライバ１３０から電源電圧ラインＬｖに印加される書込動作レベルの低電位の電源電圧Ｖcc（＝Ｖccw≦基準電圧Ｖss）を基準として、相対的に負電位の電圧振幅を有するように設定され、階調が高くなるにしたがって負電位側により低く（電圧振幅の絶対値は大きく）なる。
【０１７６】
これにより、書込動作において、図３２に示すように、切換スイッチＳＷ１１及びデータラインＬｄを介して、選択状態に設定された表示画素ＰＩＸ（画素駆動回路ＤＣ）のトランジスタＴｒ１３のソース端子（接点Ｎ１２）に、当該トランジスタＴｒ１３のしきい値電圧Ｖthの変化量ΔＶthに応じた補償電圧成分（ａ・Ｖref＋Ｖofst）に基づいて階調電圧Ｖpixを補正した補正階調電圧ＶＲpixが印加されるので、トランジスタＴｒ１３のゲート−ソース間（キャパシタＣｓの両端）に、当該補正階調電圧ＶＲpixに応じた電圧Ｖgsが書き込み設定される。このような書込動作においては、トランジスタＴｒ１３のゲート端子及びソース端子に対して、カラー表示データに応じた電流を流して電圧成分を設定するのではなく、直接所定の電圧を印加しているので、各端子や接点の電位を速やかに所望の状態に設定することができる。
【０１７７】
このような書込動作は、表示領域１１０に配列されたＲＧＢの各色の表示画素ＰＩＸ（サブ画素ＰＸｒ、ＰＸｇ、ＰＸｂ）に対して、データドライバ１４０から各列のデータラインＬｄ（Ｌdr、Ｌdg、Ｌdb）を介して、ＲＧＢの各色のカラー表示データに対応した各補正階調電圧ＶＲpix（ＶＲpix(r)、ＶＲpix(g)、ＶＲpix(b)）が同時に印加されて並列的に実行される。
【０１７８】
この書込動作期間Ｔwrtにおいても、有機ＥＬ素子ＯＬＥＤのアノード端子側の接点Ｎ１２に印加される補正階調電圧ＶＲpixの電圧値が、カソード端子ＴＭｃに印加される基準電圧Ｖssよりも低くなるように設定されている（つまり、有機ＥＬ素子ＯＬＥＤが逆バイアス状態に設定されている）ので、有機ＥＬ素子ＯＬＥＤには電流が流れず発光動作しない。
【０１７９】
なお、上述した補正階調電圧生成動作においては、上述した特性変化検出動作に並行して実行される階調電圧設定動作（表示データ取込動作及び階調電圧生成動作）において、階調電圧生成部１４２により取得されるカラー表示データに含まれる輝度階調値が“０”の場合には、階調電圧生成部１４２から無発光動作（又は黒表示動作）を行うための階調電圧Ｖzeroを出力し、電圧加減演算部１４５−２において参照電圧Ｖrefに基づく補正処理（つまり、トランジスタＴｒ１３のしきい値電圧Ｖthの変動に対する補償処理）を行うことなく、切換スイッチＳＷ１１を介して、そのままデータラインＬｄに印加する。
【０１８０】
ここで、データラインＬｄに印加される無発光動作のための階調電圧Ｖzeroは、ダイオード接続されたトランジスタＴｒ１３のゲート−ソース間に印加される電圧Ｖgs（≒Ｖccw−Ｖzero）が当該トランジスタＴｒ１３のしきい値電圧Ｖth又は変動後のしきい値電圧（Ｖth0＋ΔＶth）よりも低くなる関係（Ｖgs＜Ｖth）を有する電圧値（−Ｖzero＜Ｖth−Ｖccw）に設定されている。ここで、階調電圧Ｖzeroは、トランジスタＴｒ１２、Ｔｒ１３のしきい値電圧の変動を抑制するため、Ｖzero＝Ｖccwであることが好ましい。
【０１８１】
（保持動作）
図３３は、本適用例に係る表示装置における保持動作を示す概念図である。
次いで、上述したような階調電圧設定動作に並行して実行される特性変化検出動作、及び、書込動作終了後の保持動作（保持動作期間Ｔhld）においては、図１１に示したように、ｉ行目の選択ラインＬｓに非選択レベル（ローレベル）の選択信号Ｓselを印加することにより、図３３に示すように、トランジスタＴｒ１１及びＴｒ１２をオフ動作させて、トランジスタＴｒ１３のダイオード接続状態を解除するとともに、トランジスタＴｒ１３のソース端子（接点Ｎ１２）とデータラインＬｄとの電気的な接続を遮断して、トランジスタＴｒ１３のゲート−ソース間（キャパシタＣｓの両端）に補正階調電圧ＶＲpix（ＶＲpix(r)、ＶＲpix(g)、ＶＲpix(b)）に応じた電圧成分を充電（保持）する。
【０１８２】
なお、本適用例においても上述した実施形態と同様に、図１１に示すように、ｉ行目の表示画素ＰＩＸに対して上述したような階調電圧設定動作（特性変化検出動作）及び書込動作が終了した後の保持動作期間Ｔhldにおいて、選択ドライバ１２０から（ｉ＋１）行目の選択ラインＬｓに対して選択レベル（ハイレベル）の選択信号Ｓselが印加されることにより、（ｉ＋１）行目の表示画素ＰＩＸを選択状態に設定して、上記と同様の階調電圧設定動作（特性変化検出動作）及び書込動作からなる一連の処理動作が実行される。
【０１８３】
また、図３３に示した保持動作の概念図においては、データドライバ１４０に設けられた切換スイッチＳＷ１１〜ＳＷ１３がいずれもオフ状態に設定されているように図示したが、上述したように、ｉ行目の表示画素ＰＩＸの保持動作期間Ｔhldにおいては、（ｉ＋１）行目以降の表示画素ＰＩＸに対して、特性変化検出動作（プリチャージ動作、過渡応答及び参照電圧読取動作）及び書込動作が並行して実行されることになるので、図２９に示したように、各行の表示画素ＰＩＸの選択期間Ｔselごとに、所定のタイミングで切換スイッチＳＷ１１〜ＳＷ１３の各々が個別に切換制御される。
【０１８４】
（発光動作）
図３４は、本適用例に係る表示装置における発光動作を示す概念図である。
次いで、任意のグループに含まれる全ての行の表示画素ＰＩＸに対して、上述した階調電圧設定動作及び同時並行して実行される特性変化検出動作、書込動作及び保持動作が終了した後の発光動作（発光動作期間Ｔem）においては、図１１に示したように、当該グループの各行の選択ラインＬｓに非選択レベル（ローレベル）の選択信号Ｓselを印加した状態で、各行の表示画素ＰＩＸに接続された電源電圧ラインＬｖに発光動作レベルである基準電圧Ｖss（例えば接地電位）より高電位の電源電圧Ｖcc（＝Ｖcce＞Ｖss）を印加する。
【０１８５】
これにより、各表示画素ＰＩＸ（画素駆動回路ＤＣ）のトランジスタＴｒ１３が飽和領域で動作し、また、有機ＥＬ素子ＯＬＥＤのアノード側（接点Ｎ１２）には上記書込動作によりトランジスタＴｒ１３のゲート−ソース間に書込設定された電圧成分（Ｖccw−ＶＲpix）に応じた正の電圧が印加され、一方、カソード端子ＴＭｃには基準電圧Ｖssが印加されることにより、有機ＥＬ素子ＯＬＥＤは順バイアス状態に設定されるので、図３４に示すように、電源電圧ラインＬｖからトランジスタＴｒ１３を介して有機ＥＬ素子ＯＬＥＤに、カラー表示データにしたがった階調を有し、かつ、トランジスタＴｒ１３の変動後のしきい値電圧Ｖth（＝Ｖth0＋ΔＶth）に合わせて補正した補正階調電圧ＶＲpixに応じた電流値を有する発光駆動電流Ｉem（トランジスタＴｒ１３のドレイン・ソース間電流Ｉds）が流れ、所望の輝度階調で発光動作する。
【０１８６】
このように、本適用例に係る表示装置及びその駆動方法によれば、上述した実施形態に示した単一（共通）のガンマ補正曲線を備えたデジタル−アナログ変換回路（階調電圧生成部）を具備するデータドライバにおいて、例えばＲＧＢの３色のカラー表示データが供給されるタイミングに対応して、上記デジタル−アナログ変換回路に印加する階調基準電圧を順次切り換え設定し、ＲＧＢ各色の有機ＥＬ素子の電気光学特性に応じたガンマ補正曲線を用いて時分割的にデジタル−アナログ変換処理を行ってＲＧＢ各色のカラー表示データ（輝度階調値）に対応した階調電圧を生成する階調電圧設定動作（表示データ取込動作及び階調電圧生成動作）を実行するとともに、当該階調電圧設定動作期間に並行して、当該カラー表示データが書き込まれる各表示画素の経時的な特性変化（駆動トランジスタのしきい値電圧変動）を検出する特性変化検出動作を実行し、当該特性変化を補償するように上記階調電圧を補正して各表示画素に書き込むことができるので、選択期間における階調電圧設定動作及び書込動作のマージンを十分確保しつつ、表示画素ごとの発光特性のバラツキを抑制してカラー表示データに応じた適切な輝度階調で発光動作させて、表示画質を改善することができる。
【０１８７】
これは、換言すれば、本適用例に示したように、カラー表示データを各表示画素に書き込む動作に先立って、カラー表示データの書込対象となっている表示画素の特性変化（例えば駆動トランジスタのしきい値変動等）を補償する動作を実行する駆動方法を有する表示装置において、当該特性変化の検出動作期間中に、本発明に係る単一のガンマ特性を備えたデジタル−アナログ変換回路により、各色のカラー表示データに応じて階調基準電圧を切り換えることにより特性が規定されるガンマ補正曲線を用いて当該カラー表示データを時分割的にデジタル−アナログ変換（ガンマ補正処理）して階調電圧を生成する階調電圧生成動作を並行して実行することができることを意味し、特性変化補償機能を備えた表示装置において、駆動方法の動作タイミングを変更することなく、データドライバ（階調電圧生成部）の回路構成を小型化することができる。
【０１８８】
また、本適用例に示した特性変化補償機構においては、データドライバ１４０から各表示画素に出力される階調信号（補正階調電圧）は電圧信号であるので、例えば書込動作期間に駆動トランジスタ（トランジスタＴｒ１３）に流れるドレイン・ソース間電流Ｉdsの電流値を直接設定する電流ドライバとは異なるので、書込動作期間にトランジスタＴｒ１３に流れるドレイン・ソース間電流Ｉdsの電流値が微小であっても速やかにトランジスタＴｒ１３に流れるドレイン・ソース間電流Ｉdsに応じたゲート・ソース間電圧Ｖgsを設定することができる。そのため、比較的短く設定された選択期間内に、プリチャージ電圧Ｖpreの印加、所定の過渡応答期間Ｔtrs経過後の参照電圧Ｖrefの読み取り、補正階調電圧ＶＲpixの生成に加えて、補正階調電圧ＶＲpixのトランジスタＴｒ１３のゲート−ソース間及びキャパシタＣｘに書き込む書込動作を良好に実現することができる。
【０１８９】
なお、上述した特性変化補償機能に係る回路構成及びその制御動作については、本発明に適用可能な一例を示したにすぎず、この手法に何ら限定されるものではない。すなわち、上述した実施形態に示したように、カラー表示データの表示画素への書込動作に先立って実行される階調電圧設定動作期間中に、当該階調電圧設定動作とは独立して、表示画素の特性変化（例えば駆動トランジスタのしきい値電圧変動等）を検出するものであれば、他の回路構成や制御動作を実行するものであってもよい。
【０１９０】
＜駆動方法の具体例＞
次に、本適用例において、図１に示したような表示領域１１０を備えた表示装置１００に特有の駆動方法について具体的に説明する。
図３５は、本適用例に係る表示装置における駆動方法の具体例を模式的に示した動作タイミング図である。なお、上述した実施形態（図１７参照）と同等の駆動方法については説明を簡略化又は省略する。ここでも、上述した実施形態と同様に、説明の都合上、便宜的に表示領域に１２行（ｎ＝１２；第１行〜第１２行）の表示画素が配列され、１〜６行目（図１に示した上方領域に対応する）及び７〜１２行目（図１に示した下方領域に対応する）の表示画素を各々一組として２組にグループ分けされている場合について説明する。
【０１９１】
本適用例に係る表示装置１００における駆動制御方法は、例えば図３５に示すように、上述した実施形態（図１７参照）に示した駆動方法において、表示領域１１０の各行の表示画素ＰＩＸにおける階調電圧設定動作期間Ｔsig内に、上記特性変化検出動作（プリチャージ動作動作、過渡応答及び参照電圧読取動作）を同時並列的に実行し、階調電圧設定動作及び特性変化検出動作が終了した行の表示画素ＰＩＸに引き続き書込動作（補正階調電圧生成動作を含む）を実行する。
【０１９２】
このような一連の動作を各行ごとに順次繰り返し、予めグループ分けした１〜６行目又は７〜１２行目の全ての表示画素ＰＩＸ（有機ＥＬ素子ＯＬＥＤ）に対して、書込動作が終了したタイミングで、当該グループに含まれる全表示画素ＰＩＸをカラー表示データに応じた輝度階調で一斉に発光動作させる処理を各グループごとに順次繰り返すことにより、表示領域１１０一画面分の画像情報が表示される。
【０１９３】
＜第２の適用例＞
図３６は、本発明に係る表示装置の第２の適用例の表示パネル及びデータドライバを示す概略構成図であり、図３７は、本適用例に係るデータドライバの要部構成図である。ここで、上述した第１の適用例及び第３の実施形態（図１９、図２０参照）と同等の装置構成についてはその説明を簡略化又は省略する。また、図３８は、本適用例に係る表示装置の駆動方法の一例を示すタイミングチャートである。ここでは、第１の実施形態に示した駆動方法（図１１）及び第１の適用例に示した選択期間中の動作（図２９）を適宜参照しながら説明する。
【０１９４】
上述した第１の適用例においては、第１の実施形態又は第２の実施形態に係るデータドライバ１４０に、書込対象となっている表示画素ＰＩＸの特性変化（駆動トランジスタのしきい値電圧変動）を補償する機構（特性変化補償処理部１４５）を付加した装置構成について説明したが、第２の適用例においては、上述した第３の実施形態に係るデータドライバに、第１の適用例と同等の特性変化補償機構（特性変化補償処理部１４５）を付加した装置構成を有している。
【０１９５】
すなわち、本適用例に係る表示装置は、例えば図３６に示すように、上述した第３の実施形態に示したデータドライバ（表示駆動装置）１４０において、シフトレジスタ・データレジスタ部１４１、階調電圧生成部１４２、デマルチプレクサ１４３に加え、特性変化補償処理部１４５を備えている。ここで、特性変化補償処理部１４５は、図３７に示すように、上述した第１の適用例と同様に、電圧変換部（特性変化検出部）１４５−１と、電圧加減演算部（補正階調信号生成部）１４５−２と、接続経路切換スイッチ（切換スイッチ）ＳＷ１１〜ＳＷ１３と、を備え、これらの構成が、ＲＧＢ各色の表示画素ＰＩＸ（サブ画素ＰＸｒ、ＰＸｇ、ＰＸｂ）が接続された各列のデータラインＬdr、Ｌdg、Ｌdbごとに一組ずつ設けられている。
【０１９６】
これにより、図３８に示すように、上述した第３の実施形態と同様に、選択期間Ｔsel中に設定されるＲＧＢ各色の階調電圧設定動作期間Ｔsig（Ｔsig(R)、Ｔsig(G)、Ｔsig(B)）において、表示信号生成回路１６０からシフトレジスタ・データレジスタ部１４１を介してＲＧＢ各色のカラー表示データが順次取り込まれ、階調電圧生成部１４２及びデマルチプレクサ１４３により、当該カラー表示データに含まれる輝度階調値に応じた階調電圧Ｖpix（Ｖpix(r)、Ｖpix(g)、Ｖpix(b)）が時分割的に生成され、ＲＧＢの各色に対応して分配され、順次出力される。
【０１９７】
一方、ＲＧＢ各色の表示画素ＰＩＸ（サブ画素ＰＸｒ、ＰＸｇ、ＰＸｂ）に対応して設けられる特性変化補償処理部１４５は、各々、ＲＧＢ各色の階調電圧Ｖpix（Ｖpix(r)、Ｖpix(g)、Ｖpix(b)）を生成して分配する上記各階調電圧設定動作期間Ｔsig（Ｔsig(R)、Ｔsig(G)、Ｔsig(B)）を含み、かつ、該各階調電圧設定動作期間Ｔsig（Ｔsig(R)、Ｔsig(G)、Ｔsig(B)）に並行する各特性変化検出動作期間Ｔdet（Ｔdet(R)、Ｔdet(G)、Ｔdet(B)）に、上述した第１の適用例と同様に、選択状態に設定された各表示画素ＰＩＸ（サブ画素ＰＸｒ、ＰＸｇ、ＰＸｂ）に対して、プリチャージ動作及び過渡応答期間経過後の参照電圧読取動作からなる特性変化検出動作を実行して、各表示画素ＰＩＸの特性変化の状態（駆動トランジスタのしきい値電圧の変化量）を検出する。
【０１９８】
そして、各色の表示画素ＰＩＸへの書込動作期間Ｔwrt（Ｔwrt(R)、Ｔwrt(G)、Ｔwrt(B)）において、上記デマルチプレクサ１４３から順次出力されるＲＧＢ各色の階調電圧Ｖpix（Ｖpix(r)、Ｖpix(g)、Ｖpix(b)）を、個別の特性変化補償処理部１４５により補正して補正階調電圧ＶＲpix（ＶＲpix(r)、ＶＲpix(g)、ＶＲpix(b)）を生成し、各列のデータラインＬｄ（Ｌdr、Ｌdg、Ｌdb）を介して各色の表示画素ＰＩＸ（サブ画素ＰＸｒ、ＰＸｇ、ＰＸｂ）に順次印加して当該補正階調電圧ＶＲpix（ＶＲpix(r)、ＶＲpix(g)、ＶＲpix(b)）に応じた電圧成分を保持させる。
【０１９９】
ここで、上述した第３の実施形態と同様に、階調電圧設定動作（階調電圧設定動作期間Ｔsig(R)、Ｔsig(G)、Ｔsig(B)）及び書込動作（書込動作期間Ｔwrt(R)、Ｔwrt(G)、Ｔwrt(B)）は、図３８に示すように、ＲＧＢの各色のカラー表示データごとに一連の動作として連続的に実行されるとともに、ＲＧＢの各色で相互に重ならないタイミング（異なるタイミング）でＲ、Ｇ、Ｂの順に順次実行される。また、ＲＧＢの各色の階調電圧設定動作（階調電圧設定動作期間Ｔsig）に並行して実行される特性変化検出動作（特性変化検出動作期間Ｔdet(R)、Ｔdet(G)、Ｔdet(B)）は、図３８に示すように、ＲＧＢの各色で時間的に一部が重なって実行されるものであってもよいし、相互に重ならないタイミングで実行されるものであってもよい。
【０２００】
このように、本適用例に係る表示装置及びその駆動方法によれば、上述した第１の適用例と同様に、単一（共通）のガンマ補正曲線を備えたデジタル−アナログ変換回路（階調電圧生成部）に印加する階調基準電圧をカラー表示データに応じて順次切り換え設定することにより、ＲＧＢ各色の有機ＥＬ素子の電気光学特性に対応したガンマ補正処理を行ってＲＧＢ各色の階調電圧を生成する階調電圧設定動作期間に並行して、当該カラー表示データが書き込まれる各表示画素の特性変化（駆動トランジスタのしきい値電圧変動）を検出し、当該特性変化を補償するように各階調電圧を補正して各表示画素に書き込むことができるので、選択期間における各色の階調電圧設定動作及び書込動作のマージンを十分確保しつつ、表示画素ごとの発光特性のバラツキを抑制してカラー表示データに応じた適切な輝度階調で発光動作させて、表示画質を改善することができるとともに、各特性変化補償処理部におけるラッチ回路を省略して、データドライバ（階調電圧生成部）の回路構成をさらに小型化することができる。
【図面の簡単な説明】
【０２０１】
【図１】本発明に係る表示装置の全体構成の一例を示す概略ブロック図である。
【図２】第１の実施形態に係る表示装置に適用可能な表示パネル及びデータドライバの一例を示す概略構成図である。
【図３】第１の実施形態に係る表示装置に適用可能な表示画素（画素駆動回路及び発光素子）の一例を示す回路構成図である。
【図４】第１の実施形態に係るデータドライバの要部構成図である。
【図５】第１の実施形態に係るデータドライバに適用可能な電圧生成回路及び切換スイッチの一例を示す回路構成図である。
【図６】ＲＧＢ各色の有機ＥＬ素子のアノード−カソード間に印加される電圧（有機ＥＬ電圧）と発光輝度との関係を示す電圧−輝度特性図である。
【図７】有機ＥＬ素子の電圧−輝度特性において、規格化した電圧と発光輝度との関係を示す規格化電圧−輝度特性図である。
【図８】第１の実施形態に係る階調電圧生成部において、発光開始電圧をＲＧＢ各色ごとに切り換え設定した場合の輝度階調値と規格化された発光輝度との関係を示す階調−輝度特性図
【図９】第１の実施形態に係る階調電圧生成部（γカーブ生成ラダー回路）における輝度階調値と各色の規格化された出力電圧との関係を示す階調−電圧特性図である。
【図１０】発光開始電圧を固定した場合の輝度階調値と規格化された発光輝度との関係を示す階調−輝度特性図である。
【図１１】第１の実施形態に係る表示装置における駆動方法の一例を示すタイミングチャートである。
【図１２】第１の実施形態に係る表示装置の駆動方法に適用される選択動作の一具体例を示すタイミングチャートである。
【図１３】第１の実施形態に係る表示装置における表示データ取込動作及び階調電圧生成動作を示す概念図である。
【図１４】第１の実施形態に係る表示装置における書込動作を示す概念図である。
【図１５】第１の実施形態に係る表示装置における保持動作を示す概念図である。
【図１６】第１の実施形態に係る表示装置における発光動作を示す概念図である。
【図１７】第１の実施形態に係る表示領域を備えた表示装置における駆動方法の具体例を模式的に示した動作タイミング図である。
【図１８】本発明に係る表示装置に適用されるデータドライバの第２の実施形態を示す要部構成図である。
【図１９】第３の実施形態に係る表示装置に適用可能な表示パネル及びデータドライバの一例を示す概略構成図である。
【図２０】第３の実施形態に係るデータドライバの要部構成図である。
【図２１】第３の実施形態に係る表示装置の駆動方法の一例を示すタイミングチャートである。
【図２２】表示画素の書込動作時における駆動トランジスタの動作特性を示す特性図である。
【図２３】有機ＥＬ素子の駆動電流と駆動電圧の関係を示す特性図である。
【図２４】表示画素の発光動作時における駆動トランジスタの動作特性を示す特性図である。
【図２５】有機ＥＬ素子の負荷特性を示す特性図である。
【図２６】本発明に係る表示装置の第１の適用例の表示パネル及びデータドライバを示す概略構成図である。
【図２７】第１の適用例に係るデータドライバの要部構成図である。
【図２８】第１の適用例に係る表示装置の駆動方法の一例を示すタイミングチャートである。
【図２９】第１の適用例に係る表示装置の駆動方法における選択期間中の各動作の一具体例を示すタイミングチャートである。
【図３０】第１の適用例に係る表示装置におけるプリチャージ動作を示す概念図である。
【図３１】第１の適用例に係る表示装置における参照電圧読取動作を示す概念図である。
【図３２】第１の適用例に係る表示装置における書込動作を示す概念図である。
【図３３】第１の適用例に係る表示装置における保持動作を示す概念図である。
【図３４】第１の適用例に係る表示装置における発光動作を示す概念図である。
【図３５】第１の適用例に係る表示装置における駆動方法の具体例を模式的に示した動作タイミング図である。
【図３６】本発明に係る表示装置の第２の適用例の表示パネル及びデータドライバを示す概略構成図である。
【図３７】第２の適用例に係るデータドライバの要部構成図である。
【図３８】第２の適用例に係る表示装置の駆動方法の一例を示すタイミングチャートである。
【符号の説明】
【０２０２】
１００      表示装置
１１０      表示領域
１２０      選択ドライバ
１３０      電源ドライバ
１４０      データドライバ
１４１      シフトレジスタ・データレジスタ部
１４２      階調電圧生成部
１４２−１    γカーブ生成ラダー回路
１４２−２    Ｖmax(X)生成回路
１４２−３、１４２−５    ＲＧＢ切換スイッチ
１４２−４    Ｖs(X)生成回路
１４３      デマルチプレクサ
１４４      ラッチ回路
１４５      特性変化補償処理部
１４５−１    電圧変換部
１４５−２    電圧加減演算部
１５０      システムコントローラ
Ｌｓ        選択ライン
Ｌｖ        電源電圧ライン
Ｌｄ        データライン
ＰＩＸ      表示画素
ＤＣ        画素駆動回路
ＯＬＥＤ    有機ＥＬ素子
ＳＷ１１〜ＳＷ１３    接続経路切換スイッチ
【図１】
2009180765.tif 000004
【図２】
2009180765.tif 000005
【図３】
2009180765.tif 000006
【図４】
2009180765.tif 000007
【図５】
2009180765.tif 000008
【図６】
2009180765.tif 000009
【図７】
2009180765.tif 000010
【図８】
2009180765.tif 000011
【図９】
2009180765.tif 000012
【図１０】
2009180765.tif 000013
【図１１】
2009180765.tif 000014
【図１２】
2009180765.tif 000015
【図１３】
2009180765.tif 000016
【図１４】
2009180765.tif 000017
【図１５】
2009180765.tif 000018
【図１６】
2009180765.tif 000019
【図１７】
2009180765.tif 000020
【図１８】
2009180765.tif 000021
【図１９】
2009180765.tif 000022
【図２０】
2009180765.tif 000023
【図２１】
2009180765.tif 000024
【図２２】
2009180765.tif 000025
【図２３】
2009180765.tif 000026
【図２４】
2009180765.tif 000027
【図２５】
2009180765.tif 000028
【図２６】
2009180765.tif 000029
【図２７】
2009180765.tif 000030
【図２８】
2009180765.tif 000031
【図２９】
2009180765.tif 000032
【図３０】
2009180765.tif 000033
【図３１】
2009180765.tif 000034
【図３２】
2009180765.tif 000035
【図３３】
2009180765.tif 000036
【図３４】
2009180765.tif 000037
【図３５】
2009180765.tif 000038
【図３６】
2009180765.tif 000039
【図３７】
2009180765.tif 000040
【図３８】
2009180765.tif 000041